(57)【特許請求の範囲】
【請求項１】
第１の周波数帯域及び第２の周波数帯域を含む複数の周波数帯域をサポートする無線ｌｏｃａｌ  ａｒｅａ  ｎｅｔｗｏｒｋ（ＬＡＮ）システムにおける方法であって、
送信装置によって、前記第１の周波数帯域に対応するＳｈｏｒｔ  Ｔｒａｉｎｉｎｇ  Ｆｉｅｌｄ（ＳＴＦ）信号を生成することと、
前記送信装置によって、前記ＳＴＦ信号を含むＰｈｙｓｉｃａｌ  Ｐｒｏｔｏｃｏｌ  Ｄａｔａ  Ｕｎｉｔ（ＰＰＤＵ）を受信装置に送信することと
を含み、
前記第１の周波数帯域に対応する前記ＳＴＦ信号は、既設定されたＭシーケンスが繰り返されたシーケンスに基づいて生成され、
前記ＳＴＦ信号に対応する前記シーケンスは、
｛Ｍ、−１、−Ｍ、０、Ｍ、−１、Ｍ｝＊（１＋ｊ）／ｓｑｒｔ（２）
と示されるように定義され、ここで、ｓｑｒｔ（）は自乗根を示し、
前記既設定されたＭシーケンスは、１５ビット長さの二進シーケンスに対応し、
Ｍ＝｛−１、−１、−１、１、１、１、−１、１、１、１、−１、１、１、−１、１｝と示されるように定義される、方法。
【請求項２】
前記｛Ｍ、−１、−Ｍ、０、Ｍ、−１、Ｍ｝＊（１＋ｊ）／ｓｑｒｔ（２）シーケンスは、トーンインデックス−２４８を有する最低トーンから始まりトーンインデックス＋２４８を有する最高トーンまで８トーン間隔で配置され、
前記｛Ｍ、−１、−Ｍ、０、Ｍ、−１、Ｍ｝＊（１＋ｊ）／ｓｑｒｔ（２）シーケンスにおいてトーンインデックス−２４８及び＋２４８に対応する要素は、ヌル要素にされる、請求項１に記載の方法。
【請求項３】
前記送信装置は、第１の周波数トーン間隔または第２の周波数トーン間隔を選択し、前記送信装置は、選択された周波数トーン間隔に従って前記ＳＴＦ信号を構成する、請求項１に記載の方法。
【請求項４】
前記ＰＰＤＵがａｃｃｅｓｓ  ｐｏｉｎｔ（ＡＰ）から受信されたトリガフレームに対応するアップリンクマルチユーザＭＵ  ＰＰＤＵである場合、前記第１の周波数トーンが選択される、請求項３に記載の方法。
【請求項５】
前記第１の周波数トーン間隔は、８に等しく、前記第２の周波数トーン間隔は、１６に等しい、請求項３に記載の方法。
【請求項６】
前記送信装置が前記第２の周波数帯域に対応するＳＴＦ信号を生成する場合、｛Ｍ、−１、Ｍ、−１、−Ｍ、−１、Ｍ、０、−Ｍ、１、Ｍ、１、−Ｍ、１、−Ｍ｝＊（１＋ｊ）／ｓｑｒｔ（２）シーケンスが使用される、請求項１に記載の方法。
【請求項７】
前記第１の周波数帯域は、４０ＭＨｚ帯域に対応し、前記第２の周波数帯域は、８０ＭＨｚ帯域に対応する、請求項１に記載の方法。
【請求項８】
前記ＳＴＦ信号は、ｍｕｌｔｉｐｌｅ  ｉｎｐｕｔ  ｍｕｌｔｉｐｌｅ  ｏｕｔｐｕｔ（ＭＩＭＯ）送信においてａｕｔｏｍａｔｉｃ  ｇａｉｎ  ｃｏｎｔｒｏｌ（ＡＧＣ）推定のために使用される、請求項１に記載の方法。
【請求項９】
無線ｌｏｃａｌ  ａｒｅａ  ｎｅｔｗｏｒｋ（ＬＡＮ）システムの送信装置であって、
無線信号を送信または受信するｒａｄｉｏ  ｆｒｅｑｕｅｎｃｙ（ＲＦ）部と、
前記ＲＦ部を制御するプロセッサと
を含み、
前記プロセッサは、
第１の周波数帯域に対応するＳｈｏｒｔ  Ｔｒａｉｎｉｎｇ  Ｆｉｅｌｄ（ＳＴＦ）信号を生成することと、
前記ＳＴＦ信号を含むＰｈｙｓｉｃａｌ  Ｐｒｏｔｏｃｏｌ  Ｄａｔａ  Ｕｎｉｔ（ＰＰＤＵ）を受信装置に送信することと
を行うように構成され、
前記第１の周波数帯域に対応する前記ＳＴＦ信号は、既設定されたＭシーケンスが繰り返されたシーケンスに基づいて生成され、
前記ＳＴＦ信号に対応する前記シーケンスは、
｛Ｍ、−１、−Ｍ、０、Ｍ、−１、Ｍ｝＊（１＋ｊ）／ｓｑｒｔ（２）
と示されるように定義され、ここで、ｓｑｒｔ（）は自乗根を示し、
前記既設定されたＭシーケンスは、１５ビット長さの二進シーケンスに対応し、
Ｍ＝｛−１、−１、−１、１、１、１、−１、１、１、１、−１、１、１、−１、１｝と示されるように定義される、装置。
【請求項１０】
前記｛Ｍ、−１、−Ｍ、０、Ｍ、−１、Ｍ｝＊（１＋ｊ）／ｓｑｒｔ（２）シーケンスは、トーンインデックス−２４８を有する最低トーンから始まりトーンインデックス＋２４８を有する最高トーンまで８トーン間隔で配置され、
前記｛Ｍ、−１、−Ｍ、０、Ｍ、−１、Ｍ｝＊（１＋ｊ）／ｓｑｒｔ（２）シーケンスにおいてトーンインデックス−２４８及び＋２４８に対応する要素は、ヌル要素にされる、請求項９に記載の装置。
【請求項１１】
前記送信装置は、第１の周波数トーン間隔または第２の周波数トーン間隔を選択し、前記送信装置は、選択された周波数トーン間隔に従って前記ＳＴＦ信号を構成する、請求項９に記載の装置。
【請求項１２】
前記ＰＰＤＵがａｃｃｅｓｓ  ｐｏｉｎｔ（ＡＰ）から受信されたトリガフレームに対応するアップリンクマルチユーザＭＵ  ＰＰＤＵである場合、前記第１の周波数トーンが選択される、請求項１１に記載の装置。
【請求項１３】
前記第１の周波数トーン間隔は、８に等しく、前記第２の周波数トーン間隔は、１６に等しい、請求項１１に記載の装置。
【請求項１４】
前記送信装置が前記第２の周波数帯域に対応するＳＴＦ信号を生成する場合、｛Ｍ、−１、Ｍ、−１、−Ｍ、−１、Ｍ、０、−Ｍ、１、Ｍ、１、−Ｍ、１、−Ｍ｝＊（１＋ｊ）／ｓｑｒｔ（２）シーケンスが使用される、請求項９に記載の装置。
【請求項１５】
前記第１の周波数帯域は、４０ＭＨｚ帯域に対応し、前記第２の周波数帯域は、８０ＭＨｚ帯域に対応する、請求項９に記載の装置。
【請求項１６】
前記ＳＴＦ信号は、ｍｕｌｔｉｐｌｅ  ｉｎｐｕｔ  ｍｕｌｔｉｐｌｅ  ｏｕｔｐｕｔ（ＭＩＭＯ）送信においてａｕｔｏｍａｔｉｃ  ｇａｉｎ  ｃｏｎｔｒｏｌ（ＡＧＣ）推定のために使用される、請求項９に記載の装置。
【発明の詳細な説明】
【技術分野】
【０００１】
本明細書は、無線ＬＡＮシステムにおいて、トレーニングフィールドのためのシーケンスを生成する技法に関し、より詳しくは、無線ＬＡＮシステムにおいて、複数の帯域に使用可能なＳＴＦ（ｓｈｏｒｔ  ｔｒａｉｎｉｎｇ  ｆｉｅｌｄ）シーケンスを生成する方法及び装置に関する。
【背景技術】
【０００２】
次世代ＷＬＡＮ（ｗｉｒｅｌｅｓｓ  ｌｏｃａｌ  ａｒｅａ  ｎｅｔｗｏｒｋ）のための議論が進行している。次世代ＷＬＡＮでは、１）２．４ＧＨｚ及び５ＧＨｚ帯域でＩＥＥＥ（ｉｎｓｔｉｔｕｔｅ  ｏｆ  ｅｌｅｃｔｒｏｎｉｃ  ａｎｄ  ｅｌｅｃｔｒｏｎｉｃｓ  ｅｎｇｉｎｅｅｒｓ）８０２．１１ＰＨＹ（ｐｈｙｓｉｃａｌ）階層とＭＡＣ（ｍｅｄｉｕｍ  ａｃｃｅｓｓ  ｃｏｎｔｒｏｌ）階層の向上、２）スペクトラム効率性（ｓｐｅｃｔｒｕｍ  ｅｆｆｉｃｉｅｎｃｙ）と領域スループット（ａｒｅａ  ｔｈｒｏｕｇｈｐｕｔ）を高めること、３）干渉ソースが存在する環境、密集した異種ネットワーク（ｈｅｔｅｒｏｇｅｎｅｏｕｓ  ｎｅｔｗｏｒｋ）環境及び高いユーザ負荷が存在する環境のような実際室内環境及び室外環境で性能を向上させることを目標とする。
【０００３】
次世代ＷＬＡＮで主に考慮される環境は、ＡＰ（ａｃｃｅｓｓ  ｐｏｉｎｔ）とＳＴＡ（ｓｔａｔｉｏｎ）が多い密集環境であり、このような密集環境でスペクトラム効率（ｓｐｅｃｔｒｕｍ  ｅｆｆｉｃｉｅｎｃｙ）と空間スループット（ａｒｅａ  ｔｈｒｏｕｇｈｐｕｔ）に対する改善が論議される。また、次世代ＷＬＡＮでは室内環境だけでなく、既存ＷＬＡＮであまり考慮されていなかった室外環境での実質的な性能改善に関心を有する。
【０００４】
具体的に、次世代ＷＬＡＮでは無線オフィス（ｗｉｒｅｌｅｓｓ  ｏｆｆｉｃｅ）、スマートホーム（ｓｍａｒｔ  ｈｏｍｅ）、スタジアム（Ｓｔａｄｉｕｍ）、ホットスポット（Ｈｏｔｓｐｏｔ）、ビル／アパート（ｂｕｉｌｄｉｎｇ／ａｐａｒｔｍｅｎｔ）のようなシナリオに関心が大きくて、該当シナリオに基づいてＡＰとＳＴＡが多い密集環境でのシステム性能向上に対する議論が進行している。
【０００５】
また、次世代ＷＬＡＮでは一つのＢＳＳ（ｂａｓｉｃ  ｓｅｒｖｉｃｅ  ｓｅｔ）での単一リンク性能向上よりは、ＯＢＳＳ（ｏｖｅｒｌａｐｐｉｎｇ  ｂａｓｉｃ  ｓｅｒｖｉｃｅ  ｓｅｔ）環境でのシステム性能向上及び室外環境性能改善、そしてセルラーオフローディングなどに対する議論が活発になると予想される。このような次世代ＷＬＡＮの方向性は、次世代ＷＬＡＮが益々移動通信と類似の技術範囲を有するようになることを意味する。最近、スモールセル及びＤ２Ｄ（Ｄｉｒｅｃｔ−ｔｏ−Ｄｉｒｅｃｔ）通信領域で移動通信とＷＬＡＮ技術が共に論議されている状況を考慮してみる時、次世代ＷＬＡＮと移動通信の技術的及び事業的な融合は、一層活発になると予測される。
【発明の概要】
【発明が解決しようとする課題】
【０００６】
本明細書は、無線ＬＡＮシステムにおいて、トレーニングフィールドのために使われるシーケンスを構成する方法及び装置を提案する。
【０００７】
本明細書の一例は、従来に提示されたＳＴＦフィールドのためのシーケンスの問題点を改善する技法を提案する。
【課題を解決するための手段】
【０００８】
本明細書の一例は、無線ＬＡＮシステムに適用可能な送信方法を提案し、具体的には、無線ＬＡＮシステムでサポートされる複数の周波数帯域のうち少なくともいずれか一つをサポートするＳＴＦ信号を生成する方法及び装置を提案する。
【０００９】
本明細書の一例に係る送信装置は、第１の周波数帯域に相応するＳＴＦ（Ｓｈｏｒｔ  Ｔｒａｉｎｉｎｇ  Ｆｉｅｌｄ）信号を生成し、前記ＳＴＦ信号を含むＰＰＤＵ（Ｐｈｙｓｉｃａｌ  Ｐｒｏｔｏｃｏｌ  Ｄａｔａ  Ｕｎｉｔ）を送信する。
【００１０】
前記第１の周波数帯域に相応するＳＴＦ信号は、既設定されたＭシーケンスが繰り返されたシーケンスに基づいて生成される。
【００１１】
前記繰り返されたシーケンスは、｛Ｍ、−１、−Ｍ、０、Ｍ、−１、Ｍ｝＊（１＋ｊ）／ｓｑｒｔ（２）である。
【００１２】
前記既設定されたＭシーケンスは、１５ビット長さの二進シーケンス（ｂｉｎａｒｙ  ｓｅｑｕｅｎｃｅ）であり、｛−１、−１、−１、１、１、１、−１、１、１、１、−１、１、１、−１、１｝である。
例えば、本願発明は以下の項目を提供する。
（項目１）
第１の周波数帯域及び第２の周波数帯域を含む複数の周波数帯域をサポートする無線ＬＡＮシステムにおいて、
送信装置で、前記第１の周波数帯域に相応するＳＴＦ（Ｓｈｏｒｔ  Ｔｒａｉｎｉｎｇ  Ｆｉｅｌｄ）信号を生成するステップ；及び、
前記送信装置で、前記ＳＴＦ信号を含むＰＰＤＵ（Ｐｈｙｓｉｃａｌ  Ｐｒｏｔｏｃｏｌ  Ｄａｔａ  Ｕｎｉｔ）を受信装置に送信するステップ；
を含み、
前記第１の周波数帯域に相応するＳＴＦ信号は、既設定されたＭシーケンスが繰り返されたシーケンスに基づいて生成され、
前記繰り返されたシーケンスは、下記のように定義され、
｛Ｍ、−１、−Ｍ、０、Ｍ、−１、Ｍ｝＊（１＋ｊ）／ｓｑｒｔ（２）、ｓｑｒｔ（）は自乗根を示し、
前記既設定されたＭシーケンスは、１５ビット長さの二進シーケンス（ｂｉｎａｒｙ  ｓｅｑｕｅｎｃｅ）であり、下記のように定義される
Ｍ＝｛−１、−１、−１、１、１、１、−１、１、１、１、−１、１、１、−１、１｝
方法。
（項目２）
前記｛Ｍ、−１、−Ｍ、０、Ｍ、−１、Ｍ｝＊（１＋ｊ）／ｓｑｒｔ（２）シーケンスは、トーンインデックス（ｔｏｎｅ  ｉｎｄｅｘ）−２４８を有する最低トーンからトーンインデックス＋２４８を有する最高トーンまで８トーン間隔に配置され、
前記｛Ｍ、−１、−Ｍ、０、Ｍ、−１、Ｍ｝＊（１＋ｊ）／ｓｑｒｔ（２）シーケンスでトーンインデックス−２４８及び＋２４８に対応される要素は、ヌリング（ｎｕｌｌｉｎｇ）される
項目１に記載の方法。
（項目３）
前記送信装置は、第１の周波数トーン間隔または第２の周波数トーン間隔を選択し、選択された周波数トーン間隔によって前記ＳＴＦ信号を構成する
項目１に記載の方法。
（項目４）
前記ＰＰＤＵがＡＰから受信されたトリガフレームに対応するアップリンクＭＵ  ＰＰＤＵである場合、前記第１の周波数トーン間隔を選択する
項目３に記載の方法。
（項目５）
前記第１の周波数トーン間隔は、８であり、第２の周波数トーン間隔は、１６である
項目３に記載の方法。
（項目６）
前記送信装置が前記第２の周波数帯域に相応するＳＴＦ信号を生成する場合、｛Ｍ、−１、Ｍ、−１、−Ｍ、−１、Ｍ、０、−Ｍ、１、Ｍ、１、−Ｍ、１、−Ｍ｝＊（１＋ｊ）／ｓｑｒｔ（２）シーケンスを使用する
項目１に記載の方法。
（項目７）
前記第１の周波数帯域は、４０ＭＨｚ帯域であり、前記第２の周波数帯域は、８０ＭＨｚ帯域である
項目１に記載の方法。
（項目８）
前記ＳＴＦ信号は、ＭＩＭＯ（ｍｕｌｔｉｐｌｅ  ｉｎｐｕｔ  ｍｕｌｔｉｐｌｅ  ｏｕｔｐｕｔ）送信でＡＧＣ（ａｕｔｏｍａｔｉｃ  ｇａｉｎ  ｃｏｎｔｒｏｌ）推定を改善するために使われる
項目１に記載の方法。
（項目９）
無線ＬＡＮシステムの送信装置において、
無線信号を送信または受信するＲＦ部；及び、
前記ＲＦ部を制御するプロセッサ；を含み、
前記プロセッサは：
前記第１の周波数帯域に相応するＳＴＦ（Ｓｈｏｒｔ  Ｔｒａｉｎｉｎｇ  Ｆｉｅｌｄ）信号を生成し、
前記ＳＴＦ信号を含むＰＰＤＵ（Ｐｈｙｓｉｃａｌ  Ｐｒｏｔｏｃｏｌ  Ｄａｔａ  Ｕｎｉｔ）を受信装置に送信し、
前記第１の周波数帯域に相応するＳＴＦ信号は、既設定されたＭシーケンスが繰り返されたシーケンスに基づいて生成され、
前記繰り返されたシーケンスは、下記のように定義され、
｛Ｍ、−１、−Ｍ、０、Ｍ、−１、Ｍ｝＊（１＋ｊ）／ｓｑｒｔ（２）、ｓｑｒｔ（）は自乗根を示し、
前記既設定されたＭシーケンスは、１５ビット長さの二進シーケンス（ｂｉｎａｒｙ  ｓｅｑｕｅｎｃｅ）であり、下記のように定義される
Ｍ＝｛−１、−１、−１、１、１、１、−１、１、１、１、−１、１、１、−１、１｝
装置。
【発明の効果】
【００１３】
本明細書の一例によると、無線ＬＡＮシステムで使用可能なＳＴＦ信号の生成技法を提案する。
【００１４】
本明細書の一例で提案されたＳＴＦ信号の生成技法は、従来に提示された技法の問題点を解決する。
【図面の簡単な説明】
【００１５】
【図１】無線ＬＡＮ（ｗｉｒｅｌｅｓｓ  ｌｏｃａｌ  ａｒｅａ  ｎｅｔｗｏｒｋ、ＷＬＡＮ）の構造を示す概念図である。
【図２】ＩＥＥＥ規格で使われるＰＰＤＵの一例を示す。
【図３】ＨＥ  ＰＰＤＵの一例を示す。
【図４】２０ＭＨｚ帯域上で使われるリソースユニット（ＲＵ）の配置を示す。
【図５】４０ＭＨｚ帯域上で使われるリソースユニット（ＲＵ）の配置を示す。
【図６】８０ＭＨｚ帯域上で使われるリソースユニット（ＲＵ）の配置を示す。
【図７】ＨＥ−ＰＰＤＵの他の一例を示す。
【図８】本実施例に係るＨＥ−ＳＩＧ−Ｂの一例を示すブロック図である。
【図９】トリガフレームの一例を示す。
【図１０】共通情報（ｃｏｍｍｏｎ  ｉｎｆｏｒｍａｔｉｏｎ）フィールドの一例を示す。
【図１１】個別ユーザ情報（ｐｅｒ  ｕｓｅｒ  ｉｎｆｏｒｍａｔｉｏｎ）フィールドに含まれるサブフィールドの一例を示す。
【図１２】アップリンクＭＵ  ＰＰＤＵの一例を示すブロック図である。
【図１３】本実施例に係るチャネル別ＰＰＤＵ送信での１×ＨＥ−ＳＴＦトーンを示す。
【図１４】本実施例に係るチャネル別ＰＰＤＵ送信での２×ＨＥ−ＳＴＦトーンの一例を示す。
【図１５】Ｍシーケンスを繰り返す一例を示す。
【図１６】図１５の繰り返された構造をより具体化させた一例である。
【図１７】Ｍシーケンスを繰り返す一例を示す。
【図１８】図１７の繰り返された構造をより具体化させた一例である。
【図１９】前述した一例のＰＡＰＲを２０ＭＨｚ帯域で使われるＲＵ単位で表示した図面である。
【図２０】前述した一例のＰＡＰＲを４０ＭＨｚ帯域で使われるＲＵ単位で表示した図面である。
【図２１】前述した一例のＰＡＰＲを８０ＭＨｚ帯域のうち左側帯域で使われるＲＵ単位で表示した図面である。
【図２２】前述した一例のＰＡＰＲを８０ＭＨｚ帯域のうち右側帯域で使われるＲＵ単位で表示した図面である。
【図２３】Ｍシーケンスを繰り返す一例を示す。
【図２４】図２３の繰り返された構造をより具体化させた一例である。
【図２５】前述した一例のＰＡＰＲを２０ＭＨｚ帯域で使われるＲＵ単位で表示した図面である。
【図２６】前述した一例のＰＡＰＲを４０ＭＨｚ帯域で使われるＲＵ単位で表示した図面である。
【図２７】前述した一例のＰＡＰＲを８０ＭＨｚ帯域のうち左側帯域で使われるＲＵ単位で表示した図面である。
【図２８】前述した一例のＰＡＰＲを８０ＭＨｚ帯域のうち右側帯域で使われるＲＵ単位で表示した図面である。
【図２９】前述した一例が適用可能な手順流れ図である。
【図３０】２０ＭＨｚ帯域で使われるＲＵに対するＰＡＰＲを示す。
【図３１】４０ＭＨｚ帯域で使われるＲＵに対するＰＡＰＲを示す。
【図３２】及び
【図３３】８０ＭＨｚ帯域で使われるＲＵに対するＰＡＰＲを示す。
【図３４】本実施例が適用されることができる無線装置を示すブロック図である。
【発明を実施するための形態】
【００１６】
図１は、無線ＬＡＮ（ｗｉｒｅｌｅｓｓ  ｌｏｃａｌ  ａｒｅａ  ｎｅｔｗｏｒｋ、ＷＬＡＮ）の構造を示す概念図である。
【００１７】
図１の上段は、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃ  ｅｎｇｉｎｅｅｒｓ）８０２．１１のインフラストラクチャＢＳＳ（ｂａｓｉｃ  ｓｅｒｖｉｃｅ  ｓｅｔ）の構造を示す。
【００１８】
図１の上段を参照すると、無線ＬＡＮシステムは、一つまたはそれ以上のインフラストラクチャＢＳＳ１００、１０５（以下、ＢＳＳ）を含むことができる。ＢＳＳ１００、１０５は、成功的に同期化されて互いに通信できるＡＰ（ａｃｃｅｓｓ  ｐｏｉｎｔ）１２５及びＳＴＡ１（Ｓｔａｔｉｏｎ）１００−１のようなＡＰとＳＴＡのセットであり、特定領域を示す概念ではない。ＢＳＳ１０５は、一つのＡＰ１３０に一つ以上の結合可能なＳＴＡ１０５−１、１０５−２を含むこともできる。
【００１９】
ＢＳＳは、少なくとも一つのＳＴＡ、分散サービス（Ｄｉｓｔｒｉｂｕｔｉｏｎ  Ｓｅｒｖｉｃｅ）を提供するＡＰ１２５、１３０及び複数のＡＰを連結させる分散システム（Ｄｉｓｔｒｉｂｕｔｉｏｎ  Ｓｙｓｔｅｍ、ＤＳ）１１０を含むことができる。
【００２０】
分散システム１１０は、複数のＢＳＳ１００、１０５を連結して拡張されたサービスセットであるＥＳＳ（ｅｘｔｅｎｄｅｄ  ｓｅｒｖｉｃｅ  ｓｅｔ）１４０を具現することができる。ＥＳＳ１４０は、一つまたは複数個のＡＰ１２５、２３０が分散システム１１０を介して連結されて構成された一つのネットワークを指示する用語として使われることができる。一つのＥＳＳ１４０に含まれるＡＰは、同じＳＳＩＤ（ｓｅｒｖｉｃｅ  ｓｅｔ  ｉｄｅｎｔｉｆｉｃａｔｉｏｎ）を有することができる。
【００２１】
ポータル（ｐｏｒｔａｌ）１２０は、無線ＬＡＮネットワーク（ＩＥＥＥ８０２．１１）と他のネットワーク（例えば、８０２．Ｘ）との連結を実行するブリッジ役割を遂行することができる。
【００２２】
図１の上段のようなＢＳＳでは、ＡＰ１２５、１３０間のネットワーク及びＡＰ１２５、１３０とＳＴＡ１００−１、１０５−１、１０５−２との間のネットワークが具現されることができる。しかし、ＡＰ１２５、１３０無しでＳＴＡ間でもネットワークを設定して通信を実行することも可能である。ＡＰ１２５、１３０無しでＳＴＡ間でもネットワークを設定して通信を実行するネットワークをアドホックネットワーク（Ａｄ−Ｈｏｃ  ｎｅｔｗｏｒｋ）または独立ＢＳＳ（ｉｎｄｅｐｅｎｄｅｎｔ  ｂａｓｉｃ  ｓｅｒｖｉｃｅ  ｓｅｔ、ＩＢＳＳ）と定義する。
【００２３】
図１の下段は、ＩＢＳＳを示す概念図である。
【００２４】
図１の下段を参照すると、ＩＢＳＳは、アドホックモードで動作するＢＳＳである。ＩＢＳＳは、ＡＰを含まないため、中央で管理機能を遂行するエンティティ（ｃｅｎｔｒａｌｉｚｅｄ  ｍａｎａｇｅｍｅｎｔ  ｅｎｔｉｔｙ）がない。即ち、ＩＢＳＳにおいて、ＳＴＡ１５０−１、１５０−２、１５０−３、１５５−４、１５５−５は、分散された方式（ｄｉｓｔｒｉｂｕｔｅｄ  ｍａｎｎｅｒ）に管理される。ＩＢＳＳにおいて、全てのＳＴＡ１５０−１、１５０−２、１５０−３、１５５−４、１５５−５は、移動ＳＴＡからなることができ、分散システムへの接続が許容されなくて自己完備的ネットワーク（ｓｅｌｆ−ｃｏｎｔａｉｎｅｄ  ｎｅｔｗｏｒｋ）を構築する。
【００２５】
ＳＴＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準の規定に従う媒体接続制御（Ｍｅｄｉｕｍ  Ａｃｃｅｓｓ  Ｃｏｎｔｒｏｌ、ＭＡＣ）と無線媒体に対する物理階層（Ｐｈｙｓｉｃａｌ  Ｌａｙｅｒ）インターフェースを含む任意の機能媒体であり、広義では、ＡＰと非ＡＰ  ＳＴＡ（Ｎｏｎ−ＡＰ  Ｓｔａｔｉｏｎ）を両方とも含む意味として使われることができる。
【００２６】
ＳＴＡは、移動端末（ｍｏｂｉｌｅ  ｔｅｒｍｉｎａｌ）、無線機器（ｗｉｒｅｌｅｓｓ  ｄｅｖｉｃｅ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、ユーザ装備（Ｕｓｅｒ  Ｅｑｕｉｐｍｅｎｔ；ＵＥ）、移動局（Ｍｏｂｉｌｅ  Ｓｔａｔｉｏｎ；ＭＳ）、モバイル加入者ユニット（Ｍｏｂｉｌｅ  Ｓｕｂｓｃｒｉｂｅｒ  Ｕｎｉｔ）または単純にユーザ（ｕｓｅｒ）などの多様な名称で呼ばれることもある。
【００２７】
一方、ユーザ（ｕｓｅｒ）という用語は、多様な意味で使われることができ、例えば、無線ＬＡＮ通信において、アップリンクＭＵ  ＭＩＭＯ及び／または及びアップリンクＯＦＤＭＡ送信に参加するＳＴＡを意味する場合にも使われることができるが、これに制限されるものではない。
【００２８】
図２は、ＩＥＥＥ規格で使われるＰＰＤＵの一例を示す。
【００２９】
図示されたように、ＩＥＥＥ  ａ／ｇ／ｎ／ａｃなどの規格では多様な形態のＰＰＤＵ（ＰＨＹ  ｐｒｏｔｏｃｏｌ  ｄａｔａ  ｕｎｉｔ）が使われた。具体的に、ＬＴＦ、ＳＴＦフィールドはトレーニング信号を含み、ＳＩＧ−Ａ、ＳＩＧ−Ｂには受信ステーションのための制御情報が含まれ、データフィールドにはＰＳＤＵに相応するユーザデータが含まれた。
【００３０】
本実施例は、ＰＰＤＵのデータフィールドのために使われるシグナル（または、制御情報フィールド）に対する改善された技法を提案する。本実施例で提案するシグナルは、ＩＥＥＥ８０２．１１ａｘ規格によるＨＥ  ＰＰＤＵ（ｈｉｇｈ  ｅｆｆｉｃｉｅｎｃｙ  ＰＰＤＵ）上に適用されることができる。即ち、本実施例で改善するシグナルは、ＨＥ  ＰＰＤＵに含まれるＨＥ−ＳＩＧ−Ａ及び／またはＨＥ−ＳＩＧ−Ｂである。ＨＥ−ＳＩＧ−Ａ及びＨＥ−ＳＩＧ−Ｂの各々は、ＳＩＧ−Ａ、ＳＩＧ−Ｂで表示されることもできる。しかし、本実施例が提案する改善されたシグナルが必ずＨＥ−ＳＩＧ−Ａ及び／またはＨＥ−ＳＩＧ−Ｂ規格に制限されるものではなく、ユーザデータを伝達する無線通信システムで制御情報を含む多様な名称の制御／データフィールドに適用可能である。
【００３１】
図３は、ＨＥ  ＰＰＤＵの一例を示す。
【００３２】
本実施例で提案する制御情報フィールドは、図３に示すようなＨＥ  ＰＰＤＵ内に含まれるＨＥ−ＳＩＧ−Ｂである。図３によるＨＥ  ＰＰＤＵは、マルチユーザのためのＰＰＤＵの一例であり、ＨＥ−ＳＩＧ−Ｂは、マルチユーザのための場合にのみ含まれ、単一ユーザのためのＰＰＤＵには該当ＨＥ−ＳＩＧ−Ｂが省略されることができる。
【００３３】
図示されたように、マルチユーザ（Ｍｕｌｔｉｐｌｅ  Ｕｓｅｒ；ＭＵ）のためのＨＥ−ＰＰＤＵは、Ｌ−ＳＴＦ（ｌｅｇａｃｙ−ｓｈｏｒｔ  ｔｒａｉｎｉｎｇ  ｆｉｅｌｄ）、Ｌ−ＬＴＦ（ｌｅｇａｃｙ−ｌｏｎｇ  ｔｒａｉｎｉｎｇ  ｆｉｅｌｄ）、Ｌ−ＳＩＧ（ｌｅｇａｃｙ−ｓｉｇｎａｌ）、ＨＥ−ＳＩＧ−Ａ（ｈｉｇｈ  ｅｆｆｉｃｉｅｎｃｙ−ｓｉｇｎａｌ  Ａ）、ＨＥ−ＳＩＧ−Ｂ（ｈｉｇｈ  ｅｆｆｉｃｉｅｎｃｙ−ｓｉｇｎａｌ−Ｂ）、ＨＥ−ＳＴＦ（ｈｉｇｈ  ｅｆｆｉｃｉｅｎｃｙ−ｓｈｏｒｔ  ｔｒａｉｎｉｎｇ  ｆｉｅｌｄ）、ＨＥ−ＬＴＦ（ｈｉｇｈ  ｅｆｆｉｃｉｅｎｃｙ−ｌｏｎｇ  ｔｒａｉｎｉｎｇ  ｆｉｅｌｄ）、データフィールド（または、ＭＡＣペイロード）及びＰＥ（Ｐａｃｋｅｔ  Ｅｘｔｅｎｓｉｏｎ）フィールドを含むことができる。各々のフィールドは、図示された時間区間（即ち、４または８μｓ等）の間に送信されることができる。
【００３４】
図３の各フィールドに対する詳細な説明は、後述する。
【００３５】
図４は、２０ＭＨｚ帯域上で使われるリソースユニット（ＲＵ）の配置を示す。
【００３６】
図４に示すように、互いに異なる個数のトーン（即ち、サブキャリア）に対応されるリソースユニット（Ｒｅｓｏｕｒｃｅ  Ｕｎｉｔ；ＲＵ）が使われてＨＥ−ＰＰＤＵの一部フィールドを構成することができる。例えば、ＨＥ−ＳＴＦ、ＨＥ−ＬＴＦ、データフィールドに対して図示されたＲＵ単位でリソースが割り当てられることができる。
【００３７】
図４の最上段に示すように、２６−ユニット（即ち、２６個のトーンに相応するユニット）が配置されることができる。２０ＭＨｚ帯域の最左側（ｌｅｆｔｍｏｓｔ）帯域には６個のトーンがガード（Ｇｕａｒｄ）帯域として使われ、２０ＭＨｚ帯域の最右側（ｒｉｇｈｔｍｏｓｔ）帯域には５個のトーンがガード帯域として使われることができる。また、中心帯域、即ち、ＤＣ帯域には７個のＤＣトーンが挿入され、ＤＣ帯域の左右側に各１３個のトーンに相応する２６−ユニットが存在できる。また、その他の帯域には２６−ユニット、５２−ユニット、１０６−ユニットが割り当てられることができる。各ユニットは、受信ステーション、即ち、ユーザのために割り当てられることができる。
【００３８】
一方、図４のＲＵ配置は、マルチユーザ（ＭＵ）のための状況だけでなく、単一ユーザ（ＳＵ）のための状況でも活用され、この場合には図４の最下段に示すように、１個の２４２−ユニットを使用することが可能であり、この場合には３個のＤＣトーンが挿入されることができる。
【００３９】
図４の一例では多様な大きさのＲＵ、即ち、２６−ＲＵ、５２−ＲＵ、１０６−ＲＵ、２４２−ＲＵなどが提案され、このようなＲＵの具体的な大きさは、拡張または増加できる。したがって、本実施例は、各ＲＵの具体的な大きさ（即ち、相応するトーンの個数）が制限されるものではない。
【００４０】
図５は、４０ＭＨｚ帯域上で使われるリソースユニット（ＲＵ）の配置を示す。
【００４１】
図４の一例で多様な大きさのＲＵが使われたことと同様に、図５の一例も２６−ＲＵ、５２−ＲＵ、１０６−ＲＵ、２４２−ＲＵ、４８４−ＲＵなどが使われることができる。また、中心周波数には５個のＤＣトーンが挿入されることができ、４０ＭＨｚ帯域の最左側（ｌｅｆｔｍｏｓｔ）帯域には１２個のトーンがガード（Ｇｕａｒｄ）帯域として使われ、４０ＭＨｚ帯域の最右側（ｒｉｇｈｔｍｏｓｔ）帯域には１１個のトーンがガード帯域として使われることができる。
【００４２】
また、図示されたように、単一ユーザのために使われる場合、４８４−ＲＵが使われることができる。一方、ＲＵの具体的な個数が変更されることができるという点は、図４の一例と同じである。
【００４３】
図６は、８０ＭＨｚ帯域上で使われるリソースユニット（ＲＵ）の配置を示す。
【００４４】
図４及び図５の一例で多様な大きさのＲＵが使われたことと同様に、図６の一例も２６−ＲＵ、５２−ＲＵ、１０６−ＲＵ、２４２−ＲＵ、４８４−ＲＵ、９９６−ＲＵなどが使われることができる。また、中心周波数には７個または５個のＤＣトーンが挿入されることができ、８０ＭＨｚ帯域の最左側（ｌｅｆｔｍｏｓｔ）帯域には１２個のトーンがガード（Ｇｕａｒｄ）帯域として使われ、８０ＭＨｚ帯域の最右側（ｒｉｇｈｔｍｏｓｔ）帯域には１１個のトーンがガード帯域として使われることができる。また、ＤＣ帯域左右に位置する各々１３個のトーンを使用した２６−ＲＵを使用することができる。
【００４５】
また、図示されたように、単一ユーザのために使われる場合、９９６−ＲＵが使われることができる。一方、ＲＵの具体的な個数が変更されることができるという点は、図４及び図５の一例と同じである。
【００４６】
図７は、ＨＥ−ＰＰＤＵの他の一例を示す。
【００４７】
図示された図７のブロックは、図３のＨＥ−ＰＰＤＵブロックを周波数側面で説明する他の一例である。
【００４８】
図示されたＬ−ＳＴＦ７００は、短いトレーニングＯＦＤＭシンボル（ｓｈｏｒｔ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＳＴＦ７００は、フレーム探知（ｆｒａｍｅ  ｄｅｔｅｃｔｉｏｎ）、ＡＧＣ（ａｕｔｏｍａｔｉｃ  ｇａｉｎ  ｃｏｎｔｒｏｌ）、ダイバーシティ探知（ｄｉｖｅｒｓｉｔｙ  ｄｅｔｅｃｔｉｏｎ）、コース周波数／時間同期化（ｃｏａｒｓｅ  ｆｒｅｑｕｅｎｃｙ／ｔｉｍｅ  ｓｙｎｃｈｒｏｎｉｚａｔｉｏｎ）のために使われることができる。
【００４９】
Ｌ−ＬＴＦ７１０は、長いトレーニングＯＦＤＭシンボル（ｌｏｎｇ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＬＴＦ７１０は、ファイン周波数／時間同期化（ｆｉｎｅ  ｆｒｅｑｕｅｎｃｙ／ｔｉｍｅ  ｓｙｎｃｈｒｏｎｉｚａｔｉｏｎ）及びチャネル予測のために使われることができる。
【００５０】
Ｌ−ＳＩＧ７２０は、制御情報を送信するために使われることができる。Ｌ−ＳＩＧ７２０は、データ送信率（ｒａｔｅ）、データ長さ（ｌｅｎｇｔｈ）に対する情報を含むことができる。また、Ｌ−ＳＩＧ７２０は、繰り返して送信されることができる。即ち、Ｌ−ＳＩＧ７２０が繰り返されるフォーマット（例えば、Ｒ−ＬＳＩＧとも呼ばれる）で構成されることができる。
【００５１】
ＨＥ−ＳＩＧ−Ａ７３０は、受信ステーションに共通する制御情報を含むことができる。
【００５２】
具体的に、ＨＥ−ＳＩＧ−Ａ７３０は、１）ＤＬ／ＵＬ指示子、２）ＢＳＳの指示子であるＢＳＳカラー（ｃｏｌｏｒ）フィールド、３）現行ＴＸＯＰ区間の残余時間を指示するフィールド、４）２０、４０、８０、１６０、８０＋８０ＭＨｚ可否を指示する帯域幅フィールド、５）ＨＥ−ＳＩＧ−Ｂに適用されるＭＣＳ技法を指示するフィールド、６）ＨＥ−ＳＩＧ−ＢがＭＣＳのためにデュアルサブキャリアモジュレーション（ｄｕａｌ  ｓｕｂｃａｒｒｉｅｒ  ｍｏｄｕｌａｔｉｏｎ）技法によりモジュレーションされるかに対する指示フィールド、７）ＨＥ−ＳＩＧ−Ｂのために使われるシンボルの個数を指示するフィールド、８）ＨＥ−ＳＩＧ−Ｂが全帯域にわたって生成されるかどうかを指示するフィールド、９）ＨＥ−ＬＴＦのシンボルの個数を指示するフィールド、１０）ＨＥ−ＬＴＦの長さ及びＣＰ長さを指示するフィールド、１１）ＬＤＰＣコーディングのために追加のＯＦＤＭシンボルが存在するかを指示するフィールド、１２）ＰＥ（Ｐａｃｋｅｔ  Ｅｘｔｅｎｓｉｏｎ）に対する制御情報を指示するフィールド、１３）ＨＥ−ＳＩＧ−ＡのＣＲＣフィールドに対する情報を指示するフィールドなどに対する情報を含むことができる。このようなＨＥ−ＳＩＧ−Ａの具体的なフィールドは、追加され、または一部が省略されることができる。また、ＨＥ−ＳＩＧ−Ａがマルチユーザ（ＭＵ）環境でないその他の環境では一部フィールドが追加され、または省略されることができる。
【００５３】
ＨＥ−ＳＩＧ−Ｂ７４０は、前述したようにマルチユーザ（ＭＵ）のためのＰＰＤＵである場合にのみ含まれることができる。基本的に、ＨＥ−ＳＩＧ−Ａ７３０またはＨＥ−ＳＩＧ−Ｂ７４０は、少なくとも一つの受信ＳＴＡに対するリソース割当情報（または、仮想リソース割当情報）を含むことができる。
【００５４】
図８は、本実施例に係るＨＥ−ＳＩＧ−Ｂの一例を示すブロック図である。
【００５５】
図示されたように、ＨＥ−ＳＩＧ−Ｂフィールドは、最も前方部に共通フィールドを含み、該当共通フィールドは、その後に後続するフィールドと分離してエンコーディングすることが可能である。即ち、図８に示すように、ＨＥ−ＳＩＧ−Ｂフィールドは、共通制御情報を含む共通フィールドと、ユーザ−特定（ｕｓｅｒ−ｓｐｅｃｉｆｉｃ）制御情報を含むユーザ−特定フィールドと、を含むことができる。この場合、共通フィールドは、対応されるＣＲＣフィールドなどを含み、一つのＢＣＣブロックでコーディングされることができる。以後に後続するユーザ−特定フィールドは、図示されたように、２名のユーザ（２ｕｓｅｒｓ）のための”ユーザ−特徴フィールド”及びそれに対応されるＣＲＣフィールドなどを含んで一つのＢＣＣブロックでコーディングされることができる。
【００５６】
ＭＵ  ＰＰＤＵ上でＨＥ−ＳＩＧ−Ｂ７４０の以前フィールドは、デュプリケートされた形態で送信されることができる。ＨＥ−ＳＩＧ−Ｂ７４０の場合、一部の周波数帯域（例えば、第４の周波数帯域）で送信されるＨＥ−ＳＩＧ−Ｂ７４０は、該当周波数帯域（即ち、第４の周波数帯域）のデータフィールド及び該当周波数帯域を除外した他の周波数帯域（例えば、第２の周波数帯域）のデータフィールドのための制御情報も含むことができる。また、特定周波数帯域（例えば、第２の周波数帯域）のＨＥ−ＳＩＧ−Ｂ７４０は、他の周波数帯域（例えば、第４の周波数帯域）のＨＥ−ＳＩＧ−Ｂ７４０をデュプリケートしたフォーマットである。または、ＨＥ−ＳＩＧ−Ｂ７４０は、全体送信リソース上でエンコーディングされた形態で送信されることができる。ＨＥ−ＳＩＧ−Ｂ７４０以後のフィールドは、ＰＰＤＵを受信する受信ＳＴＡの各々のための個別情報を含むことができる。
【００５７】
ＨＥ−ＳＴＦ７５０は、ＭＩＭＯ（ｍｕｌｔｉｐｌｅ  ｉｎｐｕｔ  ｍｕｌｔｉｐｌｅ  ｏｕｔｐｕｔ）環境またはＯＦＤＭＡ環境で自動利得制御推定（ａｕｔｏｍａｔｉｃ  ｇａｉｎ  ｃｏｎｔｒｏｌ  ｅｓｔｉｍａｔｉｏｎ）を向上させるために使われることができる。
【００５８】
ＨＥ−ＬＴＦ７６０は、ＭＩＭＯ環境またはＯＦＤＭＡ環境でチャネルを推定するために使われることができる。
【００５９】
ＨＥ−ＳＴＦ７５０及びＨＥ−ＳＴＦ７５０以後のフィールドに適用されるＦＦＴ／ＩＦＦＴの大きさとＨＥ−ＳＴＦ７５０以前のフィールドに適用されるＦＦＴ／ＩＦＦＴの大きさは、互いに異なる。例えば、ＨＥ−ＳＴＦ７５０及びＨＥ−ＳＴＦ７５０以後のフィールドに適用されるＦＦＴ／ＩＦＦＴの大きさは、ＨＥ−ＳＴＦ７５０以前のフィールドに適用されるＩＦＦＴの大きさより４倍大きい。
【００６０】
例えば、図７のＰＰＤＵ上のＬ−ＳＴＦ７００、Ｌ−ＬＴＦ７１０、Ｌ−ＳＩＧ７２０、ＨＥ−ＳＩＧ−Ａ７３０、ＨＥ−ＳＩＧ−Ｂ７４０のうち少なくとも一つのフィールドを第１のフィールドという場合、データフィールド７７０、ＨＥ−ＳＴＦ７５０、ＨＥ−ＬＴＦ７６０のうち少なくとも一つを第２のフィールドということができる。前記第１のフィールドは、従来（ｌｅｇａｃｙ）システムに関連したフィールドを含むことができ、前記第２のフィールドは、ＨＥシステムに関連したフィールドを含むことができる。この場合、ＦＦＴ（ｆａｓｔ  Ｆｏｕｒｉｅｒ  ｔｒａｎｓｆｏｒｍ）サイズ／ＩＦＦＴ（ｉｎｖｅｒｓｅ  ｆａｓｔ  Ｆｏｕｒｉｅｒ  ｔｒａｎｓｆｏｒｍ）サイズは、既存の無線ＬＡＮシステムで使われたＦＦＴ／ＩＦＦＴサイズのＮ倍（Ｎは、自然数、例えば、Ｎ＝１、２、４）に定義されることができる。即ち、ＨＥ  ＰＰＤＵの第１のフィールドに比べてＨＥ  ＰＰＤＵの第２のフィールドにＮ（＝１、２、または４）倍サイズのＦＦＴ／ＩＦＦＴが適用されることができる。ＦＦＴ／ＩＦＦＴ大きさは、１、２及び４倍のうちいずれか一つに選択されることができ、チャネル状況や、他の通信装置からの設定情報によって選択的に決定されることができる。例えば、２０ＭＨｚの帯域幅に対して２５６ＦＦＴ／ＩＦＦＴが適用され、４０ＭＨｚの帯域幅に対して５１２ＦＦＴ／ＩＦＦＴが適用され、８０ＭＨｚの帯域幅に対して１０２４ＦＦＴ／ＩＦＦＴが適用され、連続１６０ＭＨｚまたは不連続１６０ＭＨｚの帯域幅に対して２０４８ＦＦＴ／ＩＦＦＴが適用されることができる。
【００６１】
他の表現として、サブキャリア空間／スペーシング（ｓｕｂｃａｒｒｉｅｒ  ｓｐａｃｉｎｇ）は、既存の無線ＬＡＮシステムで使われたサブキャリア空間の１／Ｎ倍（Ｎは、自然数、例えば、Ｎ＝４の場合、７８．１２５ｋＨｚ）の大きさである。即ち、ＨＥ  ＰＰＤＵの第１のフィールドは、従来のサブキャリアスペーシングである３１２．５ｋＨｚ大きさのサブキャリアスペーシングが適用されることができ、ＨＥ  ＰＰＤＵの第２のフィールドは、７８．１２５ｋＨｚ大きさのサブキャリア空間が適用されることができる。
【００６２】
または、前記第１のフィールドの各シンボルに適用されるＩＤＦＴ／ＤＦＴ区間（ＩＤＦＴ／ＤＦＴ  ｐｅｒｉｏｄ）は、前記第２のフィールドの各データシンボルに適用されるＩＤＦＴ／ＤＦＴ区間に比べてＮ（＝４）倍短いと表現できる。即ち、ＨＥ  ＰＰＤＵの第１のフィールドの各シンボルに対して適用されるＩＤＦＴ／ＤＦＴ長さは、３．２μｓであり、ＨＥ  ＰＰＤＵの第２のフィールドの各シンボルに対して適用されるＩＤＦＴ／ＤＦＴ長さは、３．２μｓ＊４（＝１２．８μｓ）で表現できる。ＯＦＤＭシンボルの長さは、ＩＤＦＴ／ＤＦＴ長さにＧＩ（ｇｕａｒｄ  ｉｎｔｅｒｖａｌ）の長さを加えた値である。ＧＩの長さは、０．４μｓ、０．８μｓ、１．６μｓ、２．４μｓ、３．２μｓのような多様な値である。
【００６３】
ＨＥ−ＳＴＦ７５０及びＨＥ−ＳＴＦ７５０以後のフィールドに適用されるＦＦＴ／ＩＦＦＴの大きさが多様に設定されることができる特徴は、ダウンリンクＰＰＤＵ及び／またはアップリンクＰＰＤＵに適用されることができる。即ち、図７に示したＰＰＤＵまたは以後で説明するアップリンクＭＵ  ＰＰＤＵに適用されることができる。
【００６４】
説明の便宜上、図７では第１のフィールドが使用する周波数帯域と第２のフィールドが使用する周波数帯域は、正確に一致すると表現されているが、実際互いに完全に一致しないこともある。例えば、第１の周波数帯域に相応する第１のフィールド（Ｌ−ＳＴＦ、Ｌ−ＬＴＦ、Ｌ−ＳＩＧ、ＨＥ−ＳＩＧ−Ａ、ＨＥ−ＳＩＧ−Ｂ）の主要帯域が第２のフィールド（ＨＥ−ＳＴＦ、ＨＥ−ＬＴＦ、Ｄａｔａ）の主要帯域と同じであるが、各周波数帯域ではその境界面が不一致である。図４乃至図６に示すように、ＲＵを配置する過程で複数のヌルサブキャリア、ＤＣトーン、ガードトーンなどが挿入されることで、正確に境界面を合わせにくいためである。
【００６５】
ユーザ、即ち、受信ステーションは、ＨＥ−ＳＩＧ−Ａ７３０を受信し、ＨＥ−ＳＩＧ−Ａ７３０に基づいてダウンリンクＰＰＤＵの受信指示を受けることができる。このような場合、ＳＴＡは、ＨＥ−ＳＴＦ７５０及びＨＥ−ＳＴＦ７５０以後フィールドから変更されたＦＦＴサイズに基づいてデコーディングを実行することができる。それに対し、ＳＴＡがＨＥ−ＳＩＧ−Ａ７３０に基づいてダウンリンクＰＰＤＵの受信指示を受けていない場合、ＳＴＡは、デコーディングを中断し、ＮＡＶ（ｎｅｔｗｏｒｋ  ａｌｌｏｃａｔｉｏｎ  ｖｅｃｔｏｒ）を設定することができる。ＨＥ−ＳＴＦ７５０のＣＰ（ｃｙｃｌｉｃ  ｐｒｅｆｉｘ）は、他のフィールドのＣＰより大きい大きさを有することができ、このようなＣＰ区間中、ＳＴＡは、ＦＦＴサイズを変化させてダウンリンクＰＰＤＵに対するデコーディングを実行することができる。
【００６６】
以下、本実施例では、ＡＰからＳＴＡへ送信されるデータ（または、フレーム）はダウンリンクデータ（または、ダウンリンクフレーム）、ＳＴＡからＡＰに送信されるデータ（または、フレーム）はアップリンクデータ（または、アップリンクフレーム）という用語で表現されることができる。また、ＡＰからＳＴＡへの送信はダウンリンク送信、ＳＴＡからＡＰへの送信はアップリンク送信という用語で表現できる。
【００６７】
また、ダウンリンク送信を介して送信されるＰＰＤＵ（ＰＨＹ  ｐｒｏｔｏｃｏｌ  ｄａｔａ  ｕｎｉｔ）、フレーム及びデータの各々は、ダウンリンクＰＰＤＵ、ダウンリンクフレーム及びダウンリンクデータという用語で表現されることができる。ＰＰＤＵは、ＰＰＤＵヘッダとＰＳＤＵ（ｐｈｙｓｉｃａｌ  ｌａｙｅｒ  ｓｅｒｖｉｃｅ  ｄａｔａ  ｕｎｉｔ）（または、ＭＰＤＵ（ＭＡＣ  ｐｒｏｔｏｃｏｌ  ｄａｔａ  ｕｎｉｔ））を含むデータ単位である。ＰＰＤＵヘッダは、ＰＨＹヘッダとＰＨＹプリアンブルを含むことができ、ＰＳＤＵ（または、ＭＰＤＵ）は、フレーム（または、ＭＡＣ階層の情報単位）を含み、またはフレームを指示するデータ単位である。ＰＨＹヘッダは、他の用語としてＰＬＣＰ（ｐｈｙｓｉｃａｌ  ｌａｙｅｒ  ｃｏｎｖｅｒｇｅｎｃｅ  ｐｒｏｔｏｃｏｌ）ヘッダ、ＰＨＹプリアンブルは、他の用語としてＰＬＣＰプリアンブルで表現されることもできる。
【００６８】
また、アップリンク送信を介して送信されるＰＰＤＵ、フレーム及びデータの各々は、アップリンクＰＰＤＵ、アップリンクフレーム及びアップリンクデータという用語で表現されることができる。
【００６９】
本実施例が適用される無線ＬＡＮシステムでは、ＳＵ（ｓｉｎｇｌｅ）−ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）送信に基づいて全体帯域幅が一つのＳＴＡへのダウンリンク送信及び一つのＳＴＡのアップリンク送信のために使われることが可能である。また、本実施例が適用される無線ＬＡＮシステムにおいて、ＡＰは、ＭＵ  ＭＩＭＯ（ｍｕｌｔｉｐｌｅ  ｉｎｐｕｔ  ｍｕｌｔｉｐｌｅ  ｏｕｔｐｕｔ）に基づいてＤＬ（ｄｏｗｎｌｉｎｋ）ＭＵ（ｍｕｌｔｉ−ｕｓｅｒ）送信を実行することができ、このような送信は、ＤＬ  ＭＵ  ＭＩＭＯ送信という用語で表現されることができる。
【００７０】
また、本実施例に係る無線ＬＡＮシステムでは、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）ベースの送信方法がアップリンク送信及び／またはダウンリンク送信のためにサポートされることが好ましい。即ち、ユーザに互いに異なる周波数リソースに該当するデータユニット（例えば、ＲＵ）を割り当ててアップリンク／ダウンリンク通信を実行することができる。具体的に、本実施例に係る無線ＬＡＮシステムでは、ＡＰがＯＦＤＭＡに基づいてＤＬ  ＭＵ送信を実行することができ、このような送信は、ＤＬ  ＭＵ  ＯＦＤＭＡ送信という用語で表現されることができる。ＤＬ  ＭＵ  ＯＦＤＭＡ送信が実行される場合、ＡＰは、重なった時間リソース上で複数の周波数リソースの各々を介して複数のＳＴＡの各々にダウンリンクデータ（または、ダウンリンクフレーム、ダウンリンクＰＰＤＵ）を送信することができる。複数の周波数リソースは、複数のサブバンド（または、サブチャネル）または複数のＲＵ（ｒｅｓｏｕｒｃｅ  ｕｎｉｔ）である。ＤＬ  ＭＵ  ＯＦＤＭＡ送信は、ＤＬ  ＭＵ  ＭＩＭＯ送信と共に使われることができる。例えば、ＤＬ  ＭＵ  ＯＦＤＭＡ送信のために割り当てられた特定サブバンド（または、サブチャネル）上で複数の時空間ストリーム（ｓｐａｃｅ−ｔｉｍｅ  ｓｔｒｅａｍ）（または、空間的ストリーム（ｓｐａｔｉａｌ  ｓｔｒｅａｍ））に基づいているＤＬ  ＭＵ  ＭＩＭＯ送信が実行されることができる。
【００７１】
また、本実施例に係る無線ＬＡＮシステムでは、複数のＳＴＡが同じ時間リソース上でＡＰにデータを送信するＵＬ  ＭＵ送信（ｕｐｌｉｎｋ  ｍｕｌｔｉ−ｕｓｅｒ  ｔｒａｎｓｍｉｓｓｉｏｎ）がサポートされることができる。複数のＳＴＡの各々による重なった時間リソース上でのアップリンク送信は、周波数ドメイン（ｆｒｅｑｕｅｎｃｙ  ｄｏｍａｉｎ）または空間ドメイン（ｓｐａｔｉａｌ  ｄｏｍａｉｎ）上で実行されることができる。
【００７２】
複数のＳＴＡの各々によるアップリンク送信が周波数ドメイン上で実行される場合、ＯＦＤＭＡに基づいて複数のＳＴＡの各々に対して互いに異なる周波数リソースがアップリンク送信リソースに割り当てられることができる。互いに異なる周波数リソースは、互いに異なるサブバンド（または、サブチャネル）または互いに異なるＲＵ（ｒｅｓｏｕｒｃｅ  ｕｎｉｔ））である。複数のＳＴＡの各々は、割り当てられた互いに異なる周波数リソースを介してＡＰにアップリンクデータを送信することができる。このような互いに異なる周波数リソースを介した送信方法は、ＵＬ  ＭＵ  ＯＦＤＭＡ送信方法という用語で表現されることもできる。
【００７３】
複数のＳＴＡの各々によるアップリンク送信が空間ドメイン上で実行される場合、複数のＳＴＡの各々に対して互いに異なる時空間ストリーム（または、空間的ストリーム）が割り当てられ、複数のＳＴＡの各々が互いに異なる時空間ストリームを介してアップリンクデータをＡＰに送信することができる。このような互いに異なる空間的ストリームを介した送信方法は、ＵＬ  ＭＵ  ＭＩＭＯ送信方法という用語で表現されることもできる。
【００７４】
ＵＬ  ＭＵ  ＯＦＤＭＡ送信とＵＬ  ＭＵ  ＭＩＭＯ送信は、共に実行されることができる。例えば、ＵＬ  ＭＵ  ＯＦＤＭＡ送信のために割り当てられた特定サブバンド（または、サブチャネル）上で複数の時空間ストリーム（または、空間的ストリーム）に基づいているＵＬ  ＭＵ  ＭＩＭＯ送信が実行されることができる。
【００７５】
ＭＵ  ＯＦＤＭＡ送信をサポートしなかった従来の無線ＬＡＮシステムにおいて、一つの端末に広い帯域幅（ｗｉｄｅｒ  ｂａｎｄｗｉｄｔｈ）（例えば、２０ＭＨｚ超過帯域幅）を割り当てるためにマルチチャネル割当方法が使われた。マルチチャネルは、一つのチャネル単位を２０ＭＨｚとする場合、複数個の２０ＭＨｚチャネルを含むことができる。マルチチャネル割当方法では、端末に広い帯域幅を割り当てるためにプライマリチャネル規則（ｐｒｉｍａｒｙ  ｃｈａｎｎｅｌ  ｒｕｌｅ）が使われた。プライマリチャネル規則が使われる場合、端末に広い帯域幅を割り当てるための制約が存在する。具体的に、プライマリチャネルルールによると、プライマリチャネルに隣接したセカンダリチャネル（ｓｅｃｏｎｄａｒｙ  ｃｈａｎｎｅｌ）がＯＢＳＳ（ｏｖｅｒｌａｐｐｅｄ  ＢＳＳ）で使われて’ビジー（ｂｕｓｙ）’の場合、ＳＴＡは、プライマリチャネルを除外した残りのチャネルを使用することができない。したがって、ＳＴＡは、プライマリチャネルを介してのみフレームを送信することができるため、マルチチャネルを介したフレームの送信に対する制約を受ける。即ち、既存の無線ＬＡＮシステムでのマルチチャネル割当のために使われたプライマリチャネルルールは、ＯＢＳＳが少なくない現在無線ＬＡＮ環境で広い帯域幅を運用して高い処理量を得ようとする時に大きい制約となることができる。
【００７６】
このような問題点を解決するために、本実施例ではＯＦＤＭＡ技術をサポートする無線ＬＡＮシステムが開示される。即ち、ダウンリンク及びアップリンクのうち少なくとも一つに対して前述したＯＦＤＭＡ技術が適用可能である。また、ダウンリンク及びアップリンクのうち少なくとも一つに対して前述したＭＵ−ＭＩＭＯが技法が追加的に適用可能である。ＯＦＤＭＡ技術が使われる場合、プライマリチャネルルールによる制限無しで、マルチチャネルを一つの端末でない複数の端末が同時に使用することができる。したがって、広い帯域幅運用が可能で無線リソースの運用の効率性が向上することができる。
【００７７】
前述したように、複数のＳＴＡ（例えば、ｎｏｎ−ＡＰ  ＳＴＡ）の各々によるアップリンク送信が周波数ドメイン上で実行される場合、ＡＰは、ＯＦＤＭＡに基づいて複数のＳＴＡの各々に対して互いに異なる周波数リソースがアップリンク送信リソースに割り当てられることができる。また、前述したように、互いに異なる周波数リソースは、互いに異なるサブバンド（または、サブチャネル）または互いに異なるＲＵ（ｒｅｓｏｕｒｃｅ  ｕｎｉｔ））である。
【００７８】
複数のＳＴＡの各々に対して互いに異なる周波数リソースは、トリガフレーム（ｔｒｉｇｇｅｒ  ｆｒａｍｅ）を介して指示される。
【００７９】
図９は、トリガフレームの一例を示す。図９のトリガフレームは、アップリンクＭＵ送信（Ｕｐｌｉｎｋ  Ｍｕｌｔｉｐｌｅ−Ｕｓｅｒ  ｔｒａｎｓｍｉｓｓｉｏｎ）のためのリソースを割り当て、ＡＰから送信されることができる。トリガフレームは、ＭＡＣフレームで構成されることができ、ＰＰＤＵに含まれることができる。例えば、図３に示すＰＰＤＵを介して送信され、または図２に示すレガシＰＰＤＵを介して送信され、または該当トリガフレームのために特別に設計されたＰＰＤＵを介して送信されることができる。もし、図３のＰＰＤＵを介して送信される場合、図示されたデータフィールドに前記トリガフレームが含まれることができる。
【００８０】
図９に示す各々のフィールドは、一部省略されることもでき、他のフィールドが追加されることもできる。また、フィールド各々の長さは、図示したことと異なるように変化されることができる。
【００８１】
図９のフレームコントロール（ｆｒａｍｅ  ｃｏｎｔｒｏｌ）フィールド９１０は、ＭＡＣプロトコルのバージョンに対する情報及びその他の追加的な制御情報が含まれ、デュレーションフィールド９２０は、以下で説明するＮＡＶを設定するための時間情報や端末の指示子（例えば、ＡＩＤ）に対する情報が含まれることができる。
【００８２】
また、ＲＡフィールド９３０は、該当トリガフレームの受信ＳＴＡのアドレス情報が含まれ、必要によって省略されることができる。ＴＡフィールド９４０は、該当トリガフレームを送信するＳＴＡ（例えば、ＡＰ）のアドレス情報が含まれ、共通情報（ｃｏｍｍｏｎ  ｉｎｆｏｒｍａｔｉｏｎ）フィールド９５０は、該当トリガフレームを受信する受信ＳＴＡに適用される共通制御情報を含む
図１０は、共通情報（ｃｏｍｍｏｎ  ｉｎｆｏｒｍａｔｉｏｎ）フィールドの一例を示す。図１０のサブフィールドのうち一部は省略されることもでき、その他のサブフィールドが追加されることもできる。また、図示されたサブフィールド各々の長さは変形されることができる。
【００８３】
図示された長さフィールド１０１０は、該当トリガフレームに対応して送信されるアップリンクＰＰＤＵのＬ−ＳＩＧフィールドの長さフィールドと同じ値を有し、アップリンクＰＰＤＵのＬ−ＳＩＧフィールドの長さフィールドは、アップリンクＰＰＤＵの長さを示す。結果的に、トリガフレームの長さフィールド１０１０は、対応されるアップリンクＰＰＤＵの長さを指示するのに使われることができる。
【００８４】
また、カスケード指示子フィールド１０２０は、カスケード動作が実行されるかどうかを指示する。カスケード動作は、同じＴＸＯＰ内にダウンリンクＭＵ送信とアップリンクＭＵ送信が共に実行されることを意味する。即ち、ダウンリンクＭＵ送信が実行された以後、既設定された時間（例えば、ＳＩＦＳ）以後アップリンクＭＵ送信が実行されることを意味する。カスケード動作中にはダウンリンク通信を実行する送信装置（例えば、ＡＰ）は１個のみ存在し、アップリンク通信を実行する送信装置（例えば、ｎｏｎ−ＡＰ）は複数個存在できる。
【００８５】
ＣＳ要求フィールド１０３０は、該当トリガフレームを受信した受信装置が対応されるアップリンクＰＰＤＵを送信する状況で無線媒体の状態やＮＡＶなどを考慮すべきかどうかを指示する。
【００８６】
ＨＥ−ＳＩＧ−Ａ情報フィールド１０４０は、該当トリガフレームに対応して送信されるアップリンクＰＰＤＵのＳＩＧ−Ａフィールド（即ち、ＨＥ−ＳＩＧ−Ａフィールド）の内容（ｃｏｎｔｅｎｔ）を制御する情報が含まれることができる。
【００８７】
ＣＰ及びＬＴＦタイプフィールド１０５０は、該当トリガフレームに対応して送信されるアップリンクＰＰＤＵのＬＴＦの長さ及びＣＰ長さに対する情報を含むことができる。トリガタイプフィールド１０６０は、該当トリガフレームが使われる目的、例えば、通常のトリガリング、ビーム形成のためのトリガリング、Ｂｌｏｃｋ  ＡＣＫ／ＮＡＣＫに対する要求などを指示することができる。
【００８８】
一方、図９に対するその他の説明を追加すると、以下の通りである。
【００８９】
図９のトリガフレームを受信する受信ＳＴＡの個数に相応する個別ユーザ情報（ｐｅｒ  ｕｓｅｒ  ｉｎｆｏｒｍａｔｉｏｎ）フィールド（９６０＃１乃至９６０＃Ｎ）を含むことが好ましい。前記個別ユーザ情報フィールドは、”ＲＵ割当フィールド”とも呼ばれる。
【００９０】
また、図９のトリガフレームは、パディングフィールド９７０と、フレームチェックシーケンスフィールド９８０と、を含むことができる。
【００９１】
図９に示す、個別ユーザ情報（ｐｅｒ  ｕｓｅｒ  ｉｎｆｏｒｍａｔｉｏｎ）フィールド（９６０＃１乃至９６０＃Ｎ）の各々は、再び複数のサブフィールドを含むことが好ましい。
【００９２】
図１１は、個別ユーザ情報（ｐｅｒ  ｕｓｅｒ  ｉｎｆｏｒｍａｔｉｏｎ）フィールドに含まれるサブフィールドの一例を示す。図１１のサブフィールドのうち一部は省略されることもでき、その他のサブフィールドが追加されることもできる。また、図示されたサブフィールド各々の長さは変形されることができる。
【００９３】
図１１のユーザ指示子（Ｕｓｅｒ  Ｉｄｅｎｔｉｆｉｅｒ）フィールド１１１０は、個別ユーザ情報（ｐｅｒ  ｕｓｅｒ  ｉｎｆｏｒｍａｔｉｏｎ）が対応されるＳＴＡ（即ち、受信ＳＴＡ）の指示子を示し、指示子の一例は、ＡＩＤの全部または一部になることができる。
【００９４】
また、ＲＵ割当（ＲＵ  Ａｌｌｏｃａｔｉｏｎ）フィールド１１２０が含まれることができる。即ち、ユーザ指示子フィールド１１１０により識別された受信ＳＴＡが、図９のトリガフレームに対応してアップリンクＰＰＤＵを送信する場合、ＲＵ割当（ＲＵ  Ａｌｌｏｃａｔｉｏｎ）フィールド１１２０が指示したＲＵを介して該当アップリンクＰＰＤＵを送信する。この場合、ＲＵ割当（ＲＵ  Ａｌｌｏｃａｔｉｏｎ）フィールド１１２０により指示されるＲＵは、図４、図５、図６に示すＲＵを指示することが好ましい。
【００９５】
図１１のサブフィールドは、コーディングタイプフィールド１１３０を含むことができる。コーディングタイプフィールド１１３０は、図９のトリガフレームに対応して送信されるアップリンクＰＰＤＵのコーディングタイプを指示することができる。例えば、前記アップリンクＰＰＤＵにＢＣＣコーディングが適用される場合、前記コーディングタイプフィールド１１３０は’１’に設定され、ＬＤＰＣコーディングが適用される場合、前記コーディングタイプフィールド１１３０は’０’に設定されることができる。
【００９６】
また、図１１のサブフィールドは、ＭＣＳフィールド１１４０を含むことができる。ＭＣＳフィールド１１４０は、図９のトリガフレームに対応して送信されるアップリンクＰＰＤＵに適用されるＭＣＳ技法を指示することができる。例えば、前記アップリンクＰＰＤＵにＢＣＣコーディングが適用される場合、前記コーディングタイプフィールド１１３０は’１’に設定され、ＬＤＰＣコーディングが適用される場合、前記コーディングタイプフィールド１１３０は’０’に設定されることができる。
【００９７】
図１２は、アップリンクＭＵ  ＰＰＤＵの一例を示すブロック図である。図１２のアップリンクＭＵ  ＰＰＤＵは、前述したトリガフレームに対応して送信されることができる。
【００９８】
図示されたように、図１２のＰＰＤＵは、多様なフィールドを含んでおり、各々のフィールドは、図２、図３及び図７に示すフィールドに対応される。一方、図示されたように、図１２のアップリンクＰＰＤＵは、ＨＥ−ＳＩＧ−Ｂフィールドを含まずにＨＥ−ＳＩＧ−Ａフィールドのみを含むことができる。
【００９９】
図１３は、本実施例に係るチャネル別ＰＰＤＵ送信での１×ＨＥ−ＳＴＦトーンを示す。より詳しくは、図１３は、２０ＭＨｚ／４０ＭＨｚ／８０ＭＨｚ帯域幅で０．８μｓ周期（ｐｅｒｉｏｄｉｃｉｔｙ）を有するＨＥ−ＳＴＦトーン（即ち、１６トーンサンプリング）を例示する。したがって、図１３において、各帯域幅（または、チャネル）別ＨＥ−ＳＴＦトーンは、１６個のトーン間隔に位置できる。
【０１００】
図１３において、ｘ軸は、周波数領域（ｆｒｅｑｕｅｎｃｙ  ｄｏｍａｉｎ）を示す。ｘ軸での数字は、トーンのインデックスを示し、矢印は、該当トーンインデックスに０でない値（ｎｏｎ−ｚｅｒｏ）がマッピングされることを示す。
【０１０１】
図１３の副図面（ａ）は、２０ＭＨｚ  ＰＰＤＵ送信での１×ＨＥ−ＳＴＦトーンの一例を示す。
【０１０２】
副図面（ａ）を参照すると、０．８μｓ周期のためのＨＥ−ＳＴＦシーケンス（即ち、１×ＨＥ−ＳＴＦシーケンス）が２０ＭＨｚチャネルのトーンにマッピングされる場合、１×ＨＥ−ＳＴＦシーケンスは、−１１２から１１２までトーンインデックスを有するトーンのうちＤＣを除外した１６の倍数であるトーンインデックスを有するトーンにマッピングされ、残りのトーンには０がマッピングされることができる。即ち、２０ＭＨｚチャネルにおいて、１×ＨＥ−ＳＴＦトーンは、−１１２から１１２までトーンインデックスを有するトーンのうちＤＣを除外した１６の倍数であるトーンインデックスに位置できる。したがって、１×ＨＥ−ＳＴＦシーケンスがマッピングされる１×ＨＥ−ＳＴＦトーンは、２０ＭＨｚチャネルで総１４個が存在できる。
【０１０３】
副図面（ｂ）は、４０ＭＨｚ  ＰＰＤＵ送信での１×ＨＥ−ＳＴＦトーンの一例を示す。
【０１０４】
副図面（ｂ）を参照すると、０．８μｓ周期のためのＨＥ−ＳＴＦシーケンス（即ち、１×ＨＥ−ＳＴＦシーケンス）が４０ＭＨｚチャネルのトーンにマッピングされる場合、１×ＨＥ−ＳＴＦシーケンスは、−２４０から２４０までトーンインデックスを有するトーンのうちＤＣを除外した１６の倍数であるトーンインデックスを有するトーンにマッピングされ、残りのトーンには０がマッピングされることができる。即ち、４０ＭＨｚチャネルにおいて、１×ＨＥ−ＳＴＦトーンは、−２４０から２４０までトーンインデックスを有するトーンのうちＤＣを除外した１６の倍数であるトーンインデックスに位置できる。したがって、１×ＨＥ−ＳＴＦシーケンスがマッピングされる１×ＨＥ−ＳＴＦトーンは、４０ＭＨｚチャネルで総３０個が存在できる。
【０１０５】
副図面（ｃ）は、８０ＭＨｚ  ＰＰＤＵ送信での１×ＨＥ−ＳＴＦトーンの一例を示す。
【０１０６】
副図面（ｃ）を参照すると、０．８μｓ周期のためのＨＥ−ＳＴＦシーケンス（即ち、１×ＨＥ−ＳＴＦシーケンス）が８０ＭＨｚチャネルのトーンにマッピングされる場合、１×ＨＥ−ＳＴＦシーケンスは、−４９６から４９６までトーンインデックスを有するトーンのうちＤＣを除外した１６の倍数であるトーンインデックスを有するトーンにマッピングされ、残りのトーンには０がマッピングされることができる。即ち、８０ＭＨｚチャネルにおいて、１×ＨＥ−ＳＴＦトーンは、−４９６から４９６までトーンインデックスを有するトーンのうちＤＣを除外した１６の倍数であるトーンインデックスに位置できる。したがって、１×ＨＥ−ＳＴＦシーケンスがマッピングされる１×ＨＥ−ＳＴＦトーンは、８０ＭＨｚチャネルで総６２個が存在できる。
【０１０７】
図１４は、本実施例に係るチャネル別ＰＰＤＵ送信での２×ＨＥ−ＳＴＦトーンの一例を示す。より詳しくは、図１４は、２０ＭＨｚ／４０ＭＨｚ／８０ＭＨｚ帯域幅で１．６μｓ周期（ｐｅｒｉｏｄｉｃｉｔｙ）を有するＨＥ−ＳＴＦトーン（即ち、８トーンサンプリング）を例示する。したがって、図１４において、各帯域幅（または、チャネル）別ＨＥ−ＳＴＦトーンは、８個のトーン間隔に位置できる。
【０１０８】
図１４による２×ＨＥ−ＳＴＦ信号は、図１２に示すアップリンクＭＵ  ＰＰＤＵに適用されることができる。即ち、前述したトリガフレームに対応してアップリンクを介して送信されるＰＰＤＵには図１４に示す２×ＨＥ−ＳＴＦ信号が含まれることができる。
【０１０９】
図１４において、ｘ軸は、周波数領域（ｆｒｅｑｕｅｎｃｙ  ｄｏｍａｉｎ）を示す。ｘ軸での数字は、トーンのインデックスを示し、矢印は、該当トーンインデックスに０でない値（ｎｏｎ−ｚｅｒｏ）がマッピングされることを示す。
【０１１０】
図１４の副図面（ａ）は、２０ＭＨｚ  ＰＰＤＵ送信での２×ＨＥ−ＳＴＦトーンを例示する図面である。
【０１１１】
副図面（ａ）を参照すると、１．６μｓ周期のためのＨＥ−ＳＴＦシーケンス（即ち、２×ＨＥ−ＳＴＦシーケンス）が２０ＭＨｚチャネルのトーンにマッピングされる場合、２×ＨＥ−ＳＴＦシーケンスは、−１２０から１２０までトーンインデックスを有するトーンのうちＤＣを除外した８の倍数であるトーンインデックスを有するトーンにマッピングされ、残りのトーンには０がマッピングされることができる。即ち、２０ＭＨｚチャネルにおいて、２×ＨＥ−ＳＴＦトーンは、−１２０から１２０までトーンインデックスを有するトーンのうちＤＣを除外した８の倍数であるトーンインデックスに位置できる。したがって、２×ＨＥ−ＳＴＦシーケンスがマッピングされる２×ＨＥ−ＳＴＦトーンは、２０ＭＨｚチャネルで総３０個が存在できる。
【０１１２】
副図面（ｂ）は、４０ＭＨｚ  ＰＰＤＵ送信での２×ＨＥ−ＳＴＦトーンを例示する図面である。
【０１１３】
副図面（ｂ）を参照すると、１．６μｓ周期のためのＨＥ−ＳＴＦシーケンス（即ち、２×ＨＥ−ＳＴＦシーケンス）が４０ＭＨｚチャネルのトーンにマッピングされる場合、２×ＨＥ−ＳＴＦシーケンスは、−２４８から２４８までトーンインデックスを有するトーンのうちＤＣを除外した８の倍数であるトーンインデックスを有するトーンにマッピングされ、残りのトーンには０がマッピングされることができる。即ち、４０ＭＨｚチャネルにおいて、２×ＨＥ−ＳＴＦトーンは、−２４８から２４８までトーンインデックスを有するトーンのうちＤＣを除外した８の倍数であるトーンインデックスに位置できる。ただし、ここで、トーンインデックス±２４８を有するトーンは、ガードトーン（レフト（ｌｅｆｔ）及びライト（ｒｉｇｈｔ）ガードトーン）に該当し、ヌリング（ｎｕｌｌｉｎｇ）されることができる（即ち、０値を有することができる）。したがって、２×ＨＥ−ＳＴＦシーケンスがマッピングされる２×ＨＥ−ＳＴＦトーンは、４０ＭＨｚチャネルで総６０個が存在できる。
【０１１４】
副図面（ｃ）は、８０ＭＨｚ  ＰＰＤＵ送信での２×ＨＥ−ＳＴＦトーンを例示する図面である。
【０１１５】
副図面（ｃ）を参照すると、１．６μｓ周期のためのＨＥ−ＳＴＦシーケンス（即ち、２×ＨＥ−ＳＴＦシーケンス）が８０ＭＨｚチャネルのトーンにマッピングされる場合、２×ＨＥ−ＳＴＦシーケンスは、−５０４から５０４までトーンインデックスを有するトーンのうちＤＣを除外した８の倍数であるトーンインデックスを有するトーンにマッピングされ、残りのトーンには０がマッピングされることができる。即ち、８０ＭＨｚチャネルにおいて、２×ＨＥ−ＳＴＦトーンは、−５０４から５０４までトーンインデックスを有するトーンのうちＤＣを除外した８の倍数であるトーンインデックスに位置できる。ただし、ここで、トーンインデックス±５０４を有するトーンは、ガードトーン（レフト及びライトガードトーン）に該当し、ヌリングされることができる（即ち、０値を有することができる）。したがって、２×ＨＥ−ＳＴＦシーケンスがマッピングされる２×ＨＥ−ＳＴＦトーンは、８０ＭＨｚチャネルで総１２４個が存在できる。
【０１１６】
以下、１×ＨＥ−ＳＴＦトーン（即ち、１６トーン間隔にサンプリング）に適用可能なシーケンスと、２×ＨＥ−ＳＴＦトーン（即ち、８トーン間隔にサンプリング）に適用可能なシーケンスと、を提案する。具体的に、基本シーケンスを設定し、新しいシーケンスの一部として該当基本シーケンスを含むｎｅｓｔｅｄ構造を利用して、拡張性に優れたシーケンス構造を提案する。以下の一例で使われるＭシーケンスは、長さが１５であるシーケンスであることが好ましい。Ｍシーケンスは、二進シーケンス（ｂｉｎａｒｙ  ｓｅｑｕｅｎｃｅ）で構成されることで、デコーディング時に複雑度を低くすることが好ましい。
【０１１７】
以下、まず、具体的なＭシーケンスの一例を提案しない状態で、多様な帯域幅でシーケンスを作る基本手順を説明する。
【０１１８】
一例（Ａ）：１×ＨＥ−ＳＴＦトーンの一例
以下で説明する本実施例の一例は、二進シーケンスであるＭシーケンスを繰り返す方式で多様な周波数帯域幅をサポートするＳＴＦシーケンスを生成することができる。
【０１１９】
図１５は、Ｍシーケンスを繰り返す一例を示す。
【０１２０】
図示された図１５の一例は、１×ＨＥ−ＳＴＦに適用されることが好ましい。
【０１２１】
図１５に示す２０ＭＨｚのためのＳＴＦシーケンスを数式で表現すると、以下の数式１のように表現可能である。
（数１）
ＨＥ＿ＳＴＦ＿２０ＭＨｚ（−１１２：１６：＋１１２）＝｛Ｍ｝
ＨＥ＿ＳＴＦ＿２０ＭＨｚ（０）＝０
数式１及び以下の数式で使われたＨＥ＿ＳＴＦ（Ａ１：Ａ２：Ａ３）＝｛Ｍ｝の意味は、以下の通りである。まず、Ａ１値は、Ｍシーケンスの最初の要素が対応される周波数トーンインデックスを意味し、Ａ３値は、Ｍシーケンスの最後の要素が対応される周波数トーンインデックスを意味する。Ａ２値は、Ｍシーケンスの各要素が配置される周波数トーンの間隔を意味する。
【０１２２】
それによって、数式１は、インデックス”−１１２”に相応する周波数帯域にＭシーケンスの最初の要素が対応され、インデックス”＋１１２”に相応する周波数帯域にＭシーケンスの最後の要素が対応され、Ｍシーケンスの各要素は、１６個の周波数トーン間隔に配置される。また、インデックス”０”に相応する周波数帯域に”０”値が対応する。即ち、数式１は、図１３の副図面（ａ）に相応する構造を有する。
【０１２３】
図１５に示す４０ＭＨｚのためのＳＴＦシーケンスを数式で表現すると、以下の数式２のように表現可能である。即ち、数式１の構造を４０ＭＨｚ帯域に拡張するためには｛Ｍ、０、Ｍ｝が活用されることができる。
（数２）
ＨＥ＿ＳＴＦ＿４０ＭＨｚ（−２４０：１６：２４０）＝｛Ｍ、０、Ｍ｝
数式２は、インデックス”−２４０”に相応する周波数帯域から”−１６”に相応する周波数帯域までは１５個のＭシーケンス要素が１６周波数トーン間隔に配置され、周波数インデックス０に対しては”０”が配置され、”＋１６”に相応する周波数帯域から”＋２４０”に相応する周波数帯域までは１５個のＭシーケンス要素が１６周波数トーン間隔に配置される構造である。
【０１２４】
図１５に示す８０ＭＨｚのためのＳＴＦシーケンスを数式で表現すると、以下の数式３のように表現可能である。即ち、数式１の構造を８０ＭＨｚ帯域に拡張するためには｛Ｍ、０、Ｍ、０、Ｍ、０、Ｍ｝が活用されることができる。
（数３）
ＨＥ＿ＳＴＦ＿８０ＭＨｚ（−４９６：１６：４９６）＝｛Ｍ、０、Ｍ、０、Ｍ、０、Ｍ｝
数式３は、インデックス”−４９６”に相応する周波数帯域から”−２７２”に相応する周波数帯域までは１５個のＭシーケンス要素が１６周波数トーン間隔に配置され、インデックス”−２５６”に相応する周波数帯域には”０”（または、任意の追加値ａ１）が配置され、”−２４０”に相応する周波数帯域から”−１６”に相応する周波数帯域までは１５個のＭシーケンス要素が１６周波数トーン間隔に配置され、周波数インデックス０に対しては”０”が配置される構造である。また、インデックス”＋１６”に相応する周波数帯域から”＋２４０”に相応する周波数帯域までは１５個のＭシーケンス要素が１６周波数トーン間隔に配置され、”＋２５６”に相応する周波数帯域には”０”（または、任意の追加値ａ２）が配置され、”＋２７２”から”＋４９６”まではＭシーケンス要素が１６周波数トーン間隔に配置される構造である。
【０１２５】
前述した数式１乃至数式３の構造に追加的な係数などを適用してＰＡＰＲ観点でシーケンスを最適化することが可能である。従来ＩＥＥＥ８０２．１１ａｃシステムの場合、ガンマ値（ｇａｍｍａ  ｖａｌｕｅ）を使用して既設定された２０ＭＨｚシーケンスを４０ＭＨｚ、８０ＭＨｚ用に拡張することが可能であったが、ＩＥＥＥ８０２．１１ａｘまたはＨＥＷシステムではガンマ値が適用されないため、ガンマ値に対する考慮無しでＰＡＰＲを考慮しなければならない。また、数式１乃至数式３のように１×ＨＥ−ＳＴＦシーケンスを考慮する場合、全体帯域（例えば、図４乃至図６に示す全体帯域）を基準にしてＰＡＰＲを算出しなければならない。もし、２×ＨＥ−ＳＴＦシーケンスを考慮する場合には各ユニット（例えば、図４乃至図６に示す個別的な２６−ＲＵ、５２−ＲＵ、１０６−ＲＵ等）を考慮してＰＡＰＲを算出しなければならない。
【０１２６】
図１６は、図１５の繰り返された構造をより具体化させた一例である。
【０１２７】
図示されたように、ｃ１乃至ｃ７の係数が反映されることができ、また、（１＋ｊ）＊ｓｑｒｔ（１／２）などが反映されることもでき、ａ１、ａ２のような追加値が適用されることができる。
【０１２８】
図１６の内容に基づき、ＰＡＰＲ観点で最適化されたＳＴＦシーケンスの一例を提示すると、以下の通りである。
【０１２９】
まず、基本的に使われるＭシーケンスは、数式４のように決定されることができる。
（数４）
Ｍ＝｛−１、１、−１、１、−１、−１、１、１、−１、−１、１、１、１、１、１｝
この場合、２０ＭＨｚ、４０ＭＨｚ帯域に対するＳＴＦシーケンスは、以下の数式のように決定されることができる。
（数５）
ＨＥ＿ＳＴＦ＿２０ＭＨｚ（−１１２：１６：１１２）＝Ｍ＊（１＋ｊ）／ｓｑｒｔ（２）
ＨＥ＿ＳＴＦ＿２０ＭＨｚ（０）＝０
（数６）
ＨＥ＿ＳＴＦ＿４０ＭＨｚ（−２４０：１６：２４０）＝｛Ｍ、０、−Ｍ｝＊（１＋ｊ）／ｓｑｒｔ（２）
前記数式で使われた変数の意味は、前記数式１乃至数式３での意味と同じである。
【０１３０】
一方、８０ＭＨｚ帯域に対するＳＴＦシーケンスは、以下の数式のうちいずれか一つに決定されることができる。
（数７）
ＨＥ＿ＳＴＦ＿８０ＭＨｚ（−４９６：１６：４９６）＝｛Ｍ、１、−Ｍ、０、−Ｍ、１、−Ｍ｝＊（１＋ｊ）／ｓｑｒｔ（２）
（数８）
ＨＥ＿ＳＴＦ＿８０ＭＨｚ（−４９６：１６：４９６）＝｛Ｍ、−１、Ｍ、０、Ｍ、−１、−Ｍ｝＊（１＋ｊ）／ｓｑｒｔ（２）
前記数式で使われた変数の意味は、前記数式１乃至数式３での意味と同じである。
【０１３１】
前記数式４乃至数式８の一例は、以下のように他の一例に変形されることができる。
【０１３２】
まず、基本的に使われるＭシーケンスは、数式９のように変形されることができる。
（数９）
Ｍ＝｛−１、−１、−１、１、１、１、−１、１、１、１、−１、１、１、−１、１｝
前記数式９は、前記数式５乃至前記数式８の全部または一部に適用されることができる。例えば、数式７の構造に基づいて数式９の基本シーケンスを使用することが可能である。
【０１３３】
前記数式で提示された一例に対するＰＡＰＲを算出すると、以下の通りである。前述したように、１×ＨＥ−ＳＴＦシーケンスを考慮する場合、全体帯域（例えば、図４乃至図６に示す全体帯域）を基準にしてＰＡＰＲを算出する。
【０１３４】
具体的に、数式４を数式５の構造に適用した一例に対するＰＡＰＲは２．３３であり、数式４を数式６の構造に適用した一例に対するＰＡＰＲは４．４０であり、数式４を数式７または数式８の構造に適用した一例に対するＰＡＰＲは４．４９である。また、数式９を数式５の構造に適用した一例に対するＰＡＰＲは１．８９であり、数式９を数式６の構造に適用した一例に対するＰＡＰＲは４．４０であり、数式９を数式７または数式８の構造に適用した一例に対するＰＡＰＲは４．５３である。提示されたＳＴＦシーケンスは、微細なＰＡＰＲの性能差はあるが、従来のシーケンスに比べて改善されたＰＡＰＲ性能を提示する。したがって、提示された一例のうちいずれか一つをアップリンク及び／またはダウンリンク通信に使用することが好ましい。
【０１３５】
一例（Ｂ）：２×ＨＥ−ＳＴＦトーンの一例
以下で説明する本実施例の一例は、２×ＨＥ−ＳＴＦに適用されることが好ましい。
【０１３６】
図１７は、Ｍシーケンスを繰り返す一例を示す。
【０１３７】
図１７に示す２０ＭＨｚのためのＳＴＦシーケンスを数式で表現すると、以下の数式のように表現可能である。
（数１０）
ＨＥ＿ＳＴＦ＿２０ＭＨｚ（−１２０：８：＋１２０）＝｛Ｍ、０、Ｍ｝
図１７に示す４０ＭＨｚのためのＳＴＦシーケンスを数式で表現すると、以下の数式のように表現可能である。
（数１１）
ＨＥ＿ＳＴＦ＿４０ＭＨｚ（−２４８：８：２４８）＝｛Ｍ、０、Ｍ、０、Ｍ、０、Ｍ｝
図１７に示す８０ＭＨｚのためのＳＴＦシーケンスを数式で表現すると、以下の数式のように表現可能である。
（数１２）
ＨＥ＿ＳＴＦ＿８０ＭＨｚ（−５０４：８：５０４）＝｛Ｍ、０、Ｍ、０、Ｍ、０、Ｍ、０、Ｍ、０、Ｍ、０、Ｍ、０、Ｍ｝
前述した数式１０乃至数式１２の構造に追加的な係数などを適用してＰＡＰＲ観点でシーケンスを最適化することが可能である。従来ＩＥＥＥ８０２．１１ａｃシステムの場合、ガンマ値（ｇａｍｍａ  ｖａｌｕｅ）を使用して既設定された２０ＭＨｚシーケンスを４０ＭＨｚ、８０ＭＨｚ用に拡張することが可能であったが、ＩＥＥＥ８０２．１１ａｘまたはＨＥＷシステムではガンマ値が適用されないため、ガンマ値に対する考慮無しでＰＡＰＲを考慮しなければならない。
【０１３８】
図１８は、図１７の繰り返された構造をより具体化させた一例である。
【０１３９】
図示されたように、ｃ１乃至ｃ１４の係数が反映されることができ、また、（１＋ｊ）＊ｓｑｒｔ（１／２）などが反映されることができ、ａ１乃至ａ８のような追加値が適用されることができる。
【０１４０】
図１８の内容に基づき、ＰＡＰＲ観点で最適化されたＳＴＦシーケンスの一例を提示すると、以下の通りである。
【０１４１】
まず、基本的に使われるＭシーケンスは、数式１３のように決定されることができる。
（数１３）
Ｍ＝｛−１、１、−１、１、−１、−１、１、１、−１、−１、１、１、１、１、１｝
この場合、２０ＭＨｚ、４０ＭＨｚ、８０ＭＨｚ帯域に対するＳＴＦシーケンスは、以下の数式のように決定されることができる。
（数１４）
ＨＥ＿ＳＴＦ＿２０ＭＨｚ（−１２０：８：１２０）＝｛Ｍ、０、−Ｍ｝＊（１＋ｊ）／ｓｑｒｔ（２）
（数１５）
ＨＥ＿ＳＴＦ＿４０ＭＨｚ（−２４８：８：２４８）＝｛Ｍ、１、−Ｍ、０、−Ｍ、１、Ｍ｝＊（１＋ｊ）／ｓｑｒｔ（２）
ＨＥ＿ＳＴＦ＿４０ＭＨｚ（±２４８）＝０
（数１６）
ＨＥ＿ＳＴＦ＿８０ＭＨｚ（−５０４：８：５０４）＝｛Ｍ、−１、Ｍ、−１、Ｍ、−１、−Ｍ、０、Ｍ、１、−Ｍ、１、Ｍ、１、Ｍ｝＊（１＋ｊ）／ｓｑｒｔ（２）
ＨＥ＿ＳＴＦ＿８０ＭＨｚ（±５０４）＝０
前記数式で使われた変数の意味は、前記数式１乃至数式３での意味と同じである。
【０１４２】
前記数式１４乃至数式１６の一例は、以下のように他の一例に変形されることができる。
【０１４３】
まず、基本的に使われるＭシーケンスは、数式１７のように変形されることができる。
（数１７）
Ｍ＝｛−１、−１、−１、１、１、１、−１、１、１、１、−１、１、１、−１、１｝
２０ＭＨｚ帯域のための２×ＨＥ−ＳＴＦシーケンスは、前記数式１７を前記数式１４に適用する方式で生成されることができる。
【０１４４】
一方、４０ＭＨｚ帯域のための２×ＨＥ−ＳＴＦシーケンスは、前記数式１７を以下の数式に適用する方式で生成されることができる。
（数１８）
ＨＥ＿ＳＴＦ＿４０ＭＨｚ（−２４８：８：２４８）＝｛Ｍ、−１、−Ｍ、０、Ｍ、−１、Ｍ｝＊（１＋ｊ）／ｓｑｒｔ（２）
ＨＥ＿ＳＴＦ＿４０ＭＨｚ（±２４８）＝０
また、８０ＭＨｚ帯域のための２×ＨＥ−ＳＴＦシーケンスは、前記数式１７を以下の数式に適用する方式で生成されることができる。
（数１９）
ＨＥ＿ＳＴＦ＿８０ＭＨｚ（−５０４：８：５０４）＝｛Ｍ、−１、Ｍ、−１、−Ｍ、−１、Ｍ、０、−Ｍ、１、Ｍ、１、−Ｍ、１、−Ｍ｝＊（１＋ｊ）／ｓｑｒｔ（２）
ＨＥ＿ＳＴＦ＿８０ＭＨｚ（±５０４）＝０
図１９は、前述した一例のＰＡＰＲを２０ＭＨｚ帯域で使われるＲＵ単位で表示した図面である。
【０１４５】
図１９に示す各ブロックは、図４に示す２６−ＲＵ、５２−ＲＵ、１０６−ＲＵ、２４２−ＲＵを示す。例えば、第１のブロック１９１０は図４に示す最左側２６−ＲＵを示し、第２のブロック１９２０は図４に示す中心２６−ＲＵを示し、第３のブロック１９３０は５２−ＲＵを示し、第４のブロック１９４０は１０６−ＲＵを示し、第５のブロック１９５０は２４２−ＲＵを示す。
【０１４６】
前述した数式１３乃至数式１６の一例を一例（Ｂ−１）と表示し、前述した数式１７乃至数式１９の一例を一例（Ｂ−２）と表示できる。この場合、各ブロック内に表示された数値は、一例（Ｂ−１）及び一例（Ｂ−２）に対するＰＡＰＲを示す。
【０１４７】
図２０は、前述した一例のＰＡＰＲを４０ＭＨｚ帯域で使われるＲＵ単位で表示した図面である。即ち、図２０に示す各ブロックは、図５に示す２６−ＲＵ、５２−ＲＵ、１０６−ＲＵ、２４２−ＲＵ、４８４−ＲＵを示す。
【０１４８】
図２１は、前述した一例のＰＡＰＲを８０ＭＨｚ帯域のうち左側帯域で使われるＲＵ単位で表示した図面である。また、図２２は、前述した一例のＰＡＰＲを８０ＭＨｚ帯域のうち右側帯域で使われるＲＵ単位で表示した図面である。即ち、図２１及び図２２に示す各ブロックは、図６に示す２６−ＲＵ、５２−ＲＵ、１０６−ＲＵ、２４２−ＲＵ、４８４−ＲＵ、９９６−ＲＵを示す。図２１及び図２２の一例において、ＤＣ帯域に位置する２６−ＲＵ（即ち、中心２６−ＲＵ）の場合、一例（Ｂ−１）のＰＡＰＲは１．９４であり、一例（Ｂ−２）のＰＡＰＲも１．９４である。また、全体帯域に対して一例（Ｂ−１）のＰＡＰＲは４．９７であり、一例（Ｂ−２）のＰＡＰＲは５．７７である。
【０１４９】
一例（Ｃ）：２×ＨＥ−ＳＴＦトーンの一例
前述した一例（Ｂ）による２×ＨＥ−ＳＴＦシーケンスの場合、４０ＭＨｚ帯域と８０ＭＨｚ帯域でガード帯域との衝突により、トーンインデックス”±２４８”及びトーンインデックス”±５０４”でヌリングが必要である。以下の一例（Ｃ）では、このようなヌリングが必要でないＳＴＦシーケンスを提案する。
【０１５０】
図２３は、Ｍシーケンスを繰り返す一例を示す。
【０１５１】
図２３に示す２０ＭＨｚのためのＳＴＦシーケンスを数式で表現すると、以下の数式のように表現可能である。
（数２０）
ＨＥ＿ＳＴＦ＿２０ＭＨｚ（−１２０：８：＋１２０）＝｛Ｍ、０、Ｍ｝
図２３に示す４０ＭＨｚのためのＳＴＦシーケンスを数式で表現すると、以下の数式のように表現可能である。
（数２１）
ＨＥ＿ＳＴＦ＿４０ＭＨｚ（−２４０：８：２４０）＝｛Ｍ、Ｍ、０、Ｍ、Ｍ｝
図２３に示す８０ＭＨｚのためのＳＴＦシーケンスを数式で表現すると、以下の数式のように表現可能である。
（数２２）
ＨＥ＿ＳＴＦ＿８０ＭＨｚ（−４９６：８：４９６）＝｛Ｍ、Ｍ、０、Ｍ、Ｍ、０、Ｍ、Ｍ、０、Ｍ、Ｍ｝
前述した数式２０乃至数式２２の構造に追加的な係数などを適用してＰＡＰＲ観点でシーケンスを最適化することが可能である。従来ＩＥＥＥ８０２．１１ａｃシステムの場合、ガンマ値（ｇａｍｍａ  ｖａｌｕｅ）を使用して既設定された２０ＭＨｚシーケンスを４０ＭＨｚ、８０ＭＨｚ用に拡張することが可能であったが、ＩＥＥＥ８０２．１１ａｘまたはＨＥＷシステムではガンマ値が適用されないため、ガンマ値に対する考慮無しでＰＡＰＲを考慮しなければならない。
【０１５２】
図２４は、図２３の繰り返された構造をより具体化させた一例である。
【０１５３】
図示されたように、ｃ１乃至ｃ１４の係数が反映されることができ、また、（１＋ｊ）＊ｓｑｒｔ（１／２）などが反映されることができ、ａ１乃至ａ４のような追加値が適用されることができる。
【０１５４】
図２４の内容に基づき、ＰＡＰＲ観点で最適化されたＳＴＦシーケンスの一例を提示すると、以下の通りである。
【０１５５】
まず、基本的に使われるＭシーケンスは、数式２３のように決定されることができる。
（数２３）
Ｍ＝｛−１、１、−１、１、−１、−１、１、１、−１、−１、１、１、１、１、１｝
この場合、４０ＭＨｚ、８０ＭＨｚ帯域に対するＳＴＦシーケンスは、以下の数式のように決定されることができる。２０ＭＨｚ帯域に対するＳＴＦシーケンスは、一例（Ｂ）と同じ（即ち、数式１４と同じ）であるため、表示を省略する。
（数２４）
ＨＥ＿ＳＴＦ＿４０ＭＨｚ（−２４０：８：２４０）＝｛Ｍ、Ｍ、０、−Ｍ、Ｍ｝＊（１＋ｊ）／ｓｑｒｔ（２）
（数２５）
ＨＥ＿ＳＴＦ＿４０ＭＨｚ（−２４０：８：２４０）＝｛Ｍ、−Ｍ、０、Ｍ、Ｍ｝＊（１＋ｊ）／ｓｑｒｔ（２）
（数２６）
ＨＥ＿ＳＴＦ＿８０ＭＨｚ（−４９６：８：４９６）＝｛Ｍ、Ｍ、−１、Ｍ、−Ｍ、１、０、１、−Ｍ、−Ｍ、１、Ｍ、−Ｍ｝＊（１＋ｊ）／ｓｑｒｔ（２）
前記数式で使われた変数の意味は、前記数式１乃至数式３での意味と同じである。
【０１５６】
前記数式２４乃至数式２６の一例は、以下のように他の一例に変形されることができる。
【０１５７】
まず、基本的に使われるＭシーケンスは、数式２７のように変形されることができる。
（数２７）
Ｍ＝｛−１、−１、−１、１、１、１、−１、１、１、１、−１、１、１、−１、１｝
４０ＭＨｚ及び８０ＭＨｚ帯域のための２×ＨＥ−ＳＴＦシーケンスは、前記数式２７を以下の数式に適応する方式で生成可能である。２０ＭＨｚ帯域に対するＳＴＦシーケンスは、一例（Ｂ）と同じであるため、表示を省略する。
（数２８）
ＨＥ＿ＳＴＦ＿４０ＭＨｚ（−２４０：８：２４０）＝｛Ｍ、−Ｍ、０、Ｍ、Ｍ｝＊（１＋ｊ）／ｓｑｒｔ（２）
（数２９）
ＨＥ＿ＳＴＦ＿４０ＭＨｚ（−２４０：８：２４０）＝｛Ｍ、Ｍ、０、−Ｍ、Ｍ｝＊（１＋ｊ）／ｓｑｒｔ（２）
（数３０）
ＨＥ＿ＳＴＦ＿８０ＭＨｚ（−４９６：８：４９６）＝｛Ｍ、−Ｍ、−１、Ｍ、Ｍ、−１、０、−１、−Ｍ、Ｍ、−１、Ｍ、Ｍ｝＊（１＋ｊ）／ｓｑｒｔ（２）
図２５は、前述した一例のＰＡＰＲを２０ＭＨｚ帯域で使われるＲＵ単位で表示した図面である。
【０１５８】
図２５に示す各ブロックは、図４に示す２６−ＲＵ、５２−ＲＵ、１０６−ＲＵ、２４２−ＲＵを示す。
【０１５９】
前述した数式２３乃至数式２６の一例を一例（Ｃ−１）と表示し、前述した数式２７乃至数式３０の一例を一例（Ｃ−２）と表示できる。この場合、各ブロック内に表示された数値は、一例（Ｃ−１）及び一例（Ｃ−２）に対するＰＡＰＲを示す。
【０１６０】
図２６は、前述した一例のＰＡＰＲを４０ＭＨｚ帯域で使われるＲＵ単位で表示した図面である。即ち、図２６に示す各ブロックは、図５に示す２６−ＲＵ、５２−ＲＵ、１０６−ＲＵ、２４２−ＲＵ、４８４−ＲＵを示す。
【０１６１】
図２７は、前述した一例のＰＡＰＲを８０ＭＨｚ帯域のうち左側帯域で使われるＲＵ単位で表示した図面である。また、図２８は、前述した一例のＰＡＰＲを８０ＭＨｚ帯域のうち右側帯域で使われるＲＵ単位で表示した図面である。即ち、図２７及び図２８に示す各ブロックは、図６に示す２６−ＲＵ、５２−ＲＵ、１０６−ＲＵ、２４２−ＲＵ、４８４−ＲＵ、９９６−ＲＵを示す。図２７及び図２８の一例において、ＤＣ帯域に位置する２６−ＲＵ（即ち、中心２６−ＲＵ）の場合、一例（Ｃ−１）のＰＡＰＲは１．９４であり、一例（Ｃ−２）のＰＡＰＲは６．０２である。また、全体帯域に対して一例（Ｃ−１）のＰＡＰＲは４．９９であり、一例（Ｃ−２）のＰＡＰＲは５．４２である。
【０１６２】
図２９は、前述した一例が適用可能な手順流れ図である。
【０１６３】
図２９の一例は、多様な送信装置に適用されることができ、例えば、ユーザ装置（即ち、ｎｏｎ−ＡＰ  ＳＴＡ）に適用されることができる。
【０１６４】
Ｓ２９１０ステップで、送信装置は、１×ＨＥ−ＳＴＦ信号を送信するか、または２×ＨＥ−ＳＴＦ信号を送信するかを決定する。例えば、図９に示すトリガフレームに対応し、図１２に示すアップリンクＰＰＤＵを送信する場合には２×ＨＥ−ＳＴＦ信号を送信することができ、そうでない場合には１×ＨＥ−ＳＴＦ信号を送信することができる。
【０１６５】
もし、２×ＨＥ−ＳＴＦを送信する場合、Ｓ２９２０ステップによって２×ＨＥ−ＳＴＦ信号が生成されることができる。例えば、第１の周波数帯域（例えば、４０ＭＨｚ帯域）に相応するＳＴＦ（Ｓｈｏｒｔ  Ｔｒａｉｎｉｎｇ  Ｆｉｅｌｄ）信号を生成する場合、前記第１の周波数帯域に相応するＳＴＦ信号は、既設定されたＭシーケンスが繰り返されたシーケンスに基づいて生成されることができる。この場合、前記繰り返されたシーケンスは｛Ｍ、−１、−Ｍ、０、Ｍ、−１、Ｍ｝＊（１＋ｊ）／ｓｑｒｔ（２）に定義されることができる。前記Ｍシーケンスは、Ｍ＝｛−１、−１、−１、１、１、１、−１、１、１、１、−１、１、１、−１、１｝である。前記｛Ｍ、−１、−Ｍ、０、Ｍ、−１、Ｍ｝＊（１＋ｊ）／ｓｑｒｔ（２）シーケンスは、トーンインデックス（ｔｏｎｅ  ｉｎｄｅｘ）−２４８を有する最低トーンからトーンインデックス＋２４８を有する最高トーンまで８トーン間隔に配置され、
前記｛Ｍ、−１、−Ｍ、０、Ｍ、−１、Ｍ｝＊（１＋ｊ）／ｓｑｒｔ（２）シーケンスでトーンインデックス−２４８及び＋２４８に対応される要素は、ヌリング（ｎｕｌｌｉｎｇ）されることができる。また、第２の周波数帯域に相応するＳＴＦ信号を生成する場合、｛Ｍ、−１、Ｍ、−１、−Ｍ、−１、Ｍ、０、−Ｍ、１、Ｍ、１、−Ｍ、１、−Ｍ｝＊（１＋ｊ）／ｓｑｒｔ（２）シーケンスが使われることができる。
【０１６６】
他の表現として、Ｓ２９２０ステップでは前述した一例（Ｂ）または一例（Ｃ）で提示された２×ＨＥ−ＳＴＦ信号のうち少なくともいずれか一つが使われることができる。
【０１６７】
もし、１×ＨＥ−ＳＴＦを送信する場合、Ｓ２９３０ステップによって１×ＨＥ−ＳＴＦ信号が生成されることができる。この場合、前述した一例（Ａ）で提示された１×ＨＥ−ＳＴＦ信号のうち少なくともいずれか一つが使われることができる。
【０１６８】
Ｓ２９４０ステップでは、生成されたＨＥ−ＳＴＦ信号が受信装置に送信される。
【０１６９】
一例（Ｄ）：ＰＡＰＲによるＳＴＦシーケンスの選択
以下で説明する一例Ｄは、前述した一例のうち一部シーケンスを使用してアップリンクＰＰＤＵを構成する一例を提示する。
【０１７０】
例えば、下記のような２０ＭＨｚ、４０ＭＨｚ、８０ＭＨｚ用２×ＨＥ−ＳＴＦシーケンスを構成することができる。即ち、トリガフレームに対応してアップリンクＭＵ  ＰＰＤＵが送信される場合、下記のようなＳＴＦシーケンスが使われることができる。
（数３１）
Ｍ＝｛−１、−１、−１、１、１、１、−１、１、１、１、−１、１、１、−１、１｝
ＨＥ＿ＳＴＦ＿２０ＭＨｚ（−１２０：８：１２０）＝｛Ｍ、０、−Ｍ｝＊（１＋ｊ）／ｓｑｒｔ（２）
（数３２）
Ｍ＝｛−１、−１、−１、１、１、１、−１、１、１、１、−１、１、１、−１、１｝
ＨＥ＿ＳＴＦ＿４０ＭＨｚ（−２４８：８：２４８）＝｛Ｍ、−１、−Ｍ、０、Ｍ、−１、Ｍ｝＊（１＋ｊ）／ｓｑｒｔ（２）
ＨＥ＿ＳＴＦ＿４０ＭＨｚ（±２４８）＝０
（数３３）
Ｍ＝｛−１、−１、−１、１、１、１、−１、１、１、１、−１、１、１、−１、１｝
ＨＥ＿ＳＴＦ＿８０ＭＨｚ（−５０４：８：５０４）＝｛Ｍ、−１、Ｍ、−１、−Ｍ、−１、Ｍ、０、−Ｍ、１、Ｍ、１、−Ｍ、１、−Ｍ｝＊（１＋ｊ）／ｓｑｒｔ（２）
ＨＥ＿ＳＴＦ＿８０ＭＨｚ（±５０４）＝０
一方、ユーザＳＴＡでアップリンクＰＰＤＵを構成する場合、図４乃至図６に示すＲＵのうち該当ユーザＳＴＡに割り当てられたＲＵに対してのみＳＴＦフィールドを構成することが可能である。
【０１７１】
例えば、図４に示す最左側（ｌｅｆｔｍｏｓｔ）２６−ＲＵは、周波数インデックス”−１２１”から周波数インデックス”−９６”の区間に配置される。もし、最左側２６−ＲＵにユーザＳＴＡが割り当てられると、前記数式３１に基づいてシーケンスを生成し、そのうち周波数インデックス”−１２１”から周波数インデックス”−９６”の区間に相応するシーケンスのみを使用してアップリンクＭＵ  ＰＰＤＵのＳＴＦフィールドを構成することができる。
【０１７２】
しかし、このような方法によってＳＴＦフィールドを構成する場合、ＰＡＰＲが低くなることができる。
【０１７３】
図３０は、２０ＭＨｚ帯域で使われるＲＵに対するＰＡＰＲを示す。
【０１７４】
図３０の最上段に表示された値は、２６−ＲＵに対するＰＡＰＲを表示する。具体的に、図３０の中心２６−ＲＵ（ＲＵ５）の左側に４個の２６−ＲＵ（ＲＵ１乃至ＲＵ４）が存在し、中心２６−ＲＵ（ＲＵ５）の右側に４個の２６−ＲＵ（ＲＵ６乃至ＲＵ９）が存在する。
【０１７５】
この場合、各２６−ＲＵに対する周波数インデックスの範囲は、以下の表１の通りである。
【０１７６】
【表１】
0006437109.tif 000002
【０１７７】
また、図４及び図３０に示すように、２０ＭＨｚのために使われる５２−ＲＵは、中心２６−ＲＵの左側に２個及び右側に２個含まれ、各々のＲＵに対する周波数インデックスの範囲は、以下の表２の通りである。また、図４及び図３０に示すように、２０ＭＨｚのために使われる１０６−ＲＵは２個存在し、２４２−ＲＵは１個存在し、各々のＲＵに対する周波数インデックスの範囲は、以下の表２の通りである。
【０１７８】
【表２】
0006437109.tif 000003
【０１７９】
例えば、特定のユーザに表２に表示された４個の５２−ＲＵのうちＲＵ１が割り当てられても、図３０を参照すると、ＲＵ２やＲＵ３のＰＡＰＲがより低いことを知ることができる。この場合、該当ユーザは、ＲＵ１が割り当てられても、ＲＵ２またはＲＵ３に相応するＳＴＦシーケンスを使用してＳＴＦフィールドを構成することが好ましい。より具体的に、トリガフレームを受信し、これに対応するアップリンクＭＵ  ＰＰＤＵを構成する場合、自分に割り当てられたＲＵに対してのみ相応するＳＴＦフィールドを構成し、この場合にはＰＡＰＲが４．２６であるシーケンス（即ち、ＲＵ２やＲＵ３の周波数インデックスに相応するＳＴＦシーケンス）を使用してＳＴＦフィールドを構成することが好ましい。もし、２６−ＲＵが割り当てられると、ＰＡＰＲが２．２２であるＲＵに相応するＳＴＦシーケンスを使用することが好ましい。
【０１８０】
図３１は、４０ＭＨｚ帯域で使われるＲＵに対するＰＡＰＲを示す。
【０１８１】
図３１の最上段に表示された値は、２６−ＲＵに対するＰＡＰＲを表示する。具体的に、図３１の左側に９個の２６−ＲＵ（ＲＵ１乃至ＲＵ９）が存在し、右側に９個の２６−ＲＵ（ＲＵ１０乃至ＲＵ１８）が存在する。
【０１８２】
この場合、各２６−ＲＵに対する周波数インデックスの範囲は、以下の表３の通りである。
【０１８３】
【表３】
0006437109.tif 000004
【０１８４】
また、図５及び図３１に示すように、４０ＭＨｚのために使われる５２−ＲＵは、左側に４個及び右側に４個含まれ、各々のＲＵに対する周波数インデックスの範囲は、以下の表４の通りである。また、図５及び図３１に示すように、４０ＭＨｚのために使われる１０６−ＲＵは４個存在し、２４２−ＲＵは２個存在し、４８４−ＲＵは１個存在し、各々のＲＵに対する周波数インデックスの範囲は、以下の表４の通りである。
【０１８５】
【表４】
0006437109.tif 000005
【０１８６】
例えば、４０ＭＨｚのための２６−ＲＵが割り当てられるユーザは、ＰＡＰＲが２．２２であるＲＵに相応するＳＴＦシーケンスを使用することが好ましい。また、５２−ＲＵが割り当てられるユーザは、ＰＡＰＲが２．９０であるＲＵに相応するＳＴＦシーケンスを使用することが好ましい。また、１０６−ＲＵが割り当てられるユーザは、ＰＡＰＲが４．３９であるＲＵに相応するＳＴＦシーケンスを使用することが好ましい。また、２４２−ＲＵが割り当てられるユーザは、ＰＡＰＲが５．４６であるＲＵに相応するＳＴＦシーケンスを使用することが好ましい。
【０１８７】
図３２及び図３３は、８０ＭＨｚ帯域で使われるＲＵに対するＰＡＰＲを示す。８０ＭＨｚ帯域で中心２６−ＲＵのＰＡＰＲは１．９４であり、全体帯域に対するＰＡＰＲは５．７７である。
【０１８８】
図３２及び図３３の最上段に表示された値は、２６−ＲＵに対するＰＡＰＲを表示する。具体的に、図３２に示すＲＵは、中心周波数の左側に位置するＲＵであり、図３３に示すＲＵは、中心周波数の右側に位置するＲＵである。図３２に示す１８個の２６−ＲＵ（ＲＵ１乃至ＲＵ１８）に対する周波数インデックスの範囲は、以下の表５の通りである。また、図３３に示す１８個の２６−ＲＵ（ＲＵ２０乃至ＲＵ３７）に対する周波数インデックスの範囲は、以下の表５の通りである。
【０１８９】
【表５】
0006437109.tif 000006
【０１９０】
また、図６及び図３２に示すように、８０ＭＨｚのために使われる５２−ＲＵは、左側に８個含まれる。また、図６及び図３３に示すように、８０ＭＨｚのために使われる５２−ＲＵは右側に８個含まれる。各々のＲＵに対する周波数インデックスの範囲は、以下の表６の通りである。また、図６、図３２及び図３３に示すように、８０ＭＨｚのために使われる１０６−ＲＵは８個存在し、２４２−ＲＵは４個存在し、４８４−ＲＵは２個存在し、９９６−ＲＵは１個存在し、各々のＲＵに対する周波数インデックスの範囲は、以下の表６の通りである。
【０１９１】
【表６】
0006437109.tif 000007
【０１９２】
例えば、８０ＭＨｚのための２６−ＲＵが割り当てられるユーザは、ＰＡＰＲが２．２２であるＲＵに相応するＳＴＦシーケンスを使用することが好ましい。また、５２−ＲＵが割り当てられるユーザは、ＰＡＰＲが２．９０であるＲＵに相応するＳＴＦシーケンスを使用することが好ましい。また、１０６−ＲＵが割り当てられるユーザは、ＰＡＰＲが４．３９であるＲＵに相応するＳＴＦシーケンスを使用することが好ましい。また、２４２−ＲＵが割り当てられるユーザは、ＰＡＰＲが５．５０であるＲＵに相応するＳＴＦシーケンスを使用することが好ましい。
【０１９３】
図３４は、本実施例が適用されることができる無線装置を示すブロック図である。
【０１９４】
図３４を参照すると、無線装置は、前述した実施例を具現することができるＳＴＡであり、ＡＰまたは非ＡＰ  ＳＴＡ（ｎｏｎ−ＡＰ  ｓｔａｔｉｏｎ）である。前記無線装置は、前述したユーザに対応され、または前記ユーザに信号を送信する送信装置に対応されることができる。
【０１９５】
ＡＰ３４００は、プロセッサ３４１０、メモリ３４２０及びＲＦ部（ｒａｄｉｏ  ｆｒｅｑｕｅｎｃｙ  ｕｎｉｔ）３４３０を含む。
【０１９６】
ＲＦ部３４３０は、プロセッサ３４１０と連結して無線信号を送信／受信することができる。
【０１９７】
プロセッサ３４１０は、本明細書で提案された機能、過程及び／または方法を具現することができる。例えば、プロセッサ３４１０は、前述した本実施例に係る動作を実行することができる。即ち、プロセッサ３４１０は、図１乃至図３３の実施例で開示された動作のうちＡＰが実行することができる動作を実行することができる。
【０１９８】
非ＡＰ  ＳＴＡ３４５０は、プロセッサ３４６０、メモリ３４７０及びＲＦ部（ｒａｄｉｏ  ｆｒｅｑｕｅｎｃｙ  ｕｎｉｔ）３４８０を含む。
【０１９９】
ＲＦ部３４８０は、プロセッサ３４６０と連結して無線信号を送信／受信することができる。
【０２００】
プロセッサ３４６０は、本実施例で提案された機能、過程及び／または方法を具現することができる。例えば、プロセッサ３４６０は、前述した本実施例に係るｎｏｎ−ＡＰ  ＳＴＡ動作を実行するように具現されることができる。プロセッサは、図１乃至図３３の実施例でｎｏｎ−ＡＰ  ＳＴＡの動作を実行することができる。
【０２０１】
プロセッサ３４１０、３４６０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。メモリ３４２０、３４７０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部３４３０、３４８０は、無線信号を送信及び／または受信する一つ以上のアンテナを含むことができる。
【０２０２】
実施例がソフトウェアで具現される時、前述した技法は、前述した機能を遂行するモジュール（過程、機能など）で具現されることができる。モジュールは、メモリ３４２０、３４７０に格納され、プロセッサ３４１０、３４６０により実行されることができる。メモリ３４２０、３４７０は、プロセッサ３４１０、３４６０の内部または外部にあり、よく知られた多様な手段でプロセッサ３４１０、３４６０と連結されることができる。
0006437109.tif 000008
【図１】
0006437109.tif 000009
【図２】
0006437109.tif 000010
【図３】
0006437109.tif 000011
【図４】
0006437109.tif 000012
【図５】
0006437109.tif 000013
【図６】
0006437109.tif 000014
【図７】
0006437109.tif 000015
【図８】
0006437109.tif 000016
【図９】
0006437109.tif 000017
【図１０】
0006437109.tif 000018
【図１１】
0006437109.tif 000019
【図１２】
0006437109.tif 000020
【図１３】
0006437109.tif 000021
【図１４】
0006437109.tif 000022
【図１５】
0006437109.tif 000023
【図１６】
0006437109.tif 000024
【図１７】
0006437109.tif 000025
【図１８】
0006437109.tif 000026
【図１９】
0006437109.tif 000027
【図２０】
0006437109.tif 000028
【図２１】
0006437109.tif 000029
【図２２】
0006437109.tif 000030
【図２３】
0006437109.tif 000031
【図２４】
0006437109.tif 000032
【図２５】
0006437109.tif 000033
【図２６】
0006437109.tif 000034
【図２７】
0006437109.tif 000035
【図２８】
0006437109.tif 000036
【図２９】
0006437109.tif 000037
【図３０】
0006437109.tif 000038
【図３１】
0006437109.tif 000039
【図３２】
0006437109.tif 000040
【図３３】
0006437109.tif 000041
【図３４】
0006437109.tif 000042